(57)【要約】      （修正有）【課題】被保管物管理を容易にする保管庫用ユニットを提供すること。【解決手段】被保管物を収納するものであって、操作者のＩＤを認証して扉の開閉許可を判断するＩＤ認証手段と、該ＩＤ認証手段の許可を受けて、保管庫１の扉３を開放状態とする保管庫開閉手段５とを備える保管庫１に用いられる保管庫用ユニット１０であって、個々の被保管物に接触式ＩＣチップが取り付けられ、接触式ＩＣチップに設けられた２つの端子と接触することにより、接触式ＩＣチップのデータを読み込むＩＣチップデータ読取り手段とを設ける。【選択図】図２
2008013332.tif 000002
【特許請求の範囲】
【請求項１】
被保管物を収納するものであって、操作者のＩＤを認証して扉の開閉許可を判断するＩＤ認証手段と、該ＩＤ認証手段の許可を受けて、保管庫の扉を開放状態とする保管庫開閉手段とを備える保管庫に用いられる保管庫用ユニットであって、
前記個々の被保管物に接触式ＩＣチップが取り付けられ、
前記接触式ＩＣチップに設けられた２つの端子と接触することにより、接触式ＩＣチップのデータを読み込むＩＣチップデータ読取り手段と、を有することを特徴とする保管庫用ユニット。
【請求項２】
請求項１に記載する保管庫用ユニットにおいて、
前記ＩＣチップデータ読取り手段の出力を受けて、被保管物の保管状況を記憶する被保管物記憶手段と、
前記被保管物記憶手段の記憶しているデータを、前記保管庫の制御装置に送信するための通信手段とを有することを特徴とする保管庫用ユニット。
【請求項３】
請求項１又は請求項２に記載する保管庫用ユニットにおいて、
ベース板の大きさが、前記保管庫の棚の面積とほぼ同じであり、
前記ベース板を前記保管庫の棚に固定する固定手段を有することを特徴とする保管庫用ユニット。
【請求項４】
請求項１乃至請求項３に記載する保管庫用ユニットのいずれか１つにおいて、
前記被保管物が、書類ファイル、鍵ホルダー、ＣＤ、ＭＯ、ＰＣ、鍵、ＵＳＢのいずれか１つであることを特徴とする保管庫用ユニット。
【請求項５】
請求項１乃至請求項４に記載する保管庫用ユニットのいずれか１つにおいて、
前記被保管物を前記保管庫用ユニットに収納するとき、前記接触式ＩＣチップに設けられた２つ端子を前記ＩＣチップデータ読取り手段に向かって付勢する付勢手段を有することを特徴とする保管庫用ユニット。
【請求項６】
請求項１乃至請求項４に記載する保管庫用ユニットのいずれか１つにおいて、
前記被保管物を前記保管庫用ユニットに収納するとき、前記接触式ＩＣチップを前記ＩＣチップデータ読取り手段の電極に擦れさせるＩＣチップ擦れ手段を有することを特徴とする保管庫用ユニット。
【発明の詳細な説明】
【技術分野】
【０００１】
本発明は、被保管物を収納する保管庫用ユニットに関する。
【背景技術】
【０００２】
例えば、被保管物を収納する保管庫は、扉に認証装置が取り付けられ、本人認証できたときに開閉扉の電子錠を開錠し、被保管物を取り出せるようにする。これにより、使用権限のない利用者が被保管物を保管庫から取り出すことができず、被保管物のセキュリティを確保する（例えば、特許文献１参照）。
【０００３】
【特許文献１】特開２００２−２５５３１３号公報
【発明の開示】
【発明が解決しようとする課題】
【０００４】
しかしながら、被保管物のセキュリティを確保するためには、保管庫にどのような被保管物が収納されているのかを保管庫側に認識させておく必要があるところ、保管庫のどこに何を入れるのかは利用者が決定する事項である。そのため、保管庫に収納する被保管物をコンピュータ管理しようとする場合には、利用者が被保管物の収納位置を決めてコンピュータに登録しなければならず、手間がかかっていた。
【０００５】
そこで、本発明は、上記問題点を解決するためになされたものであり、被保管物管理を容易にする保管庫用ユニットを提供することを目的とする。
【課題を解決するための手段】
【０００６】
上記目的を達成するために、本発明に係る保管庫用ユニットは以下の構成を有する。
（１）被保管物を収納するものであって、操作者のＩＤを認証して扉の開閉許可を判断するＩＤ認証手段と、該ＩＤ認証手段の許可を受けて、保管庫の扉を開放状態とする保管庫開閉手段とを備える保管庫に用いられる保管庫用ユニットであって、前記個々の被保管物に接触式ＩＣチップが取り付けられ、前記接触式ＩＣチップに設けられた２つの端子と接触することにより、接触式ＩＣチップのデータを読み込むＩＣチップデータ読取り手段と、を有することを特徴とする。
【０００７】
（２）（１）に記載の発明において、前記ＩＣチップデータ読取り手段の出力を受けて、被保管物の保管状況を記憶する被保管物記憶手段と、前記被保管物記憶手段の記憶しているデータを、前記保管庫の制御装置に送信するための通信手段とを有することを特徴とする。
【０００８】
（３）（１）又は（２）に記載の発明において、ベース板の大きさが、前記保管庫の棚の面積とほぼ同じであり、前記ベース板を前記保管庫の棚に固定する固定手段を有することを特徴とする。
【０００９】
（４）（１）乃至（３）に記載する発明のいずれか１つにおいて、前記被保管物が、書類ファイル、鍵ホルダー、ＣＤ、ＭＯ、ＰＣ、鍵、ＵＳＢのいずれか１つであることを特徴とする。
【００１０】
（５）（１）乃至（４）に記載する発明のいずれか１つにおいて、前記被保管物を前記保管庫用ユニットに収納するとき、前記接触式ＩＣチップに設けられた２つ端子を前記ＩＣチップデータ読取り手段に向かって付勢する付勢手段を有することを特徴とする。
【００１１】
（６）（１）乃至（４）に記載する発明のいずれか１つにおいて、前記被保管物を前記保管庫用ユニットに収納するとき、前記接触式ＩＣチップを前記ＩＣチップデータ読取り手段の電極に擦れさせるＩＣチップ擦れ手段を有することを特徴とする。
【発明の効果】
【００１２】
上記構成を有する本発明の保管庫用ユニットは、ＩＣチップデータ読取り手段が被保管物に取り付けられた接触式ＩＣチップのデータを読み取るので、保管庫用ユニットに収納される被保管物を利用者が入力しなくても、接触式ＩＣチップのデータに基づいて自動入力することが可能である。よって、本発明の保管庫用ユニットによれば、被保管物管理を容易にすることができる。
【００１３】
また、本発明の保管庫用ユニットは、ＩＣチップデータ読取り手段が読み取ったデータを被保管物記憶手段に記憶し、被保管物記憶手段の記憶しているデータを保管庫の制御装置に送信する。そのため、保管庫用ユニットに収納する被保管物の数が多い場合でも、被保管物記憶手段に一時的に記憶させることができ、被保管物の管理を円滑に行うことができる。
【００１４】
また、本発明の保管庫用ユニットは、ベース板の大きさが、保管庫の棚とほぼ同じであり、固定手段を用いてベース板を保管庫の棚に固定するので、固定手段を外さなければ保管庫用ユニットを保管庫から持ち出すことができず、保管庫用ユニットに収納される被保管物のセキュリティを確保できる。
【００１５】
また、本発明の保管庫用ユニットは、書類ファイル、鍵ホルダー、ＣＤ、ＭＯ、ＰＣ、鍵、ＵＳＢの何れか１つを被保管物にするので、保管庫用ユニットを交換するだけで、保管庫に収納する被保管物の種類を簡単に変更できる。
【００１６】
また、本発明の保管庫用ユニットは、被保管物を保管庫用ユニットに収納するときに、接触式ＩＣチップに設けられた２つの端子をＩＣチップデータ読取り手段に向かって付勢し、接触式ＩＣチップに設けられた２つの端子をＩＣチップデータ読取り手段に接触させるようにしたので、接触式ＩＣチップに記憶されるデータの読み取り不良を防止することができる。
【００１７】
また、本発明の保管庫用ユニットは、被保管物を保管庫用ユニットに収納するとき、接触式ＩＣチップをＩＣチップデータ読取り手段の電極に擦れさせるので、接触式ＩＣチップに記憶されるデータの読み取り不良を防止することができる。
【発明を実施するための最良の形態】
【００１８】
次に、本発明に係るの一実施の形態について図面を参照して説明する。
【００１９】
（第１実施形態）
＜保管庫の概略構成＞
図１は、第１実施形態に係る保管庫用ユニット１０Ａを取り付けられた保管庫１を示す外観斜視図である。
保管庫１には、一方に開口する筐体２に一対の扉３が回動可能に保持されている。扉３には、「ＩＤ認証手段」の一例である操作パネル４が取り付けられている。操作パネル４は、ＩＣカード（図示せず）と交信してＩＤ認証を行うものである。筐体２には、「保管庫開閉手段」の一例である電子錠５が取り付けられ、扉３の開閉状態が制御される。但し、停電などの非常時には電子錠５を制御できないため、扉３には非常開錠鍵６が設けられている。筐体２と扉３は、耐火性や耐震性などを確保するために金属で形成されている。
【００２０】
図２は、図１に示す保管庫１の扉３を開いた状態を示す。
保管庫１は、複数の棚７が筐体２に対して水平に固定され、筐体２の内部空間を仕切っている。筐体２の天板には、制御装置８がネジなどで固定されている。制御装置８の配線は、筐体２に設けられた取出孔２ａから外部に引き出され、図示しないＬＡＮなどを介して図示しないサーバに接続される。このような保管庫１は、棚７の間に保管庫用ユニット１０が固定されている。
【００２１】
図３は、保管庫用ユニット１０の外観斜視図である。
保管庫用ユニット１０は、ベース板１０ｂに背板１０ａが垂直に固定され、ベース板１０ｂに仕切板１０ｃが位置調節可能に設けられている。背板１０ａには、「ＩＣチップデータ読取り手段」の一例である接触電極１１が固定されている。接触電極１１は、水平方向に長く敷設され、複数の書類ファイル１５に設けられた接触式ＩＣチップ１６が接触するようになっている。
【００２２】
書類ファイル１５は、取付シート２４が貼り付けられている。取付シート２４には、接触式ＩＣチップ１６と被保管物用接触電極１７とが接着剤などで固定され、既存の書類ファイル１５に接触式ＩＣチップ１６を後付けできるようにされている。接触式ＩＣチップ１６は、取付先となる書類ファイル１５に関するデータを記憶しており、ＩＣ側プラス電極端子１８とＩＣ側マイナス電極端子１９に接続線２１を介して接続されている。また、接続線２１は、書類ファイル１５の背表紙に接着剤などで固定されたＬＥＤ２２にも接続している。尚、本実施形態では、ＩＣ側プラス電極端子１８とＩＣ側マイナス電極端子１９とが、特許請求の範囲に記載する「接触式ＩＣチップに設けられた２つの端子」を構成する。
【００２３】
保管庫用ユニット１０にも、保管庫用ユニット１０のデータを記憶するユニット用接触式ＩＣチップ３１が取り付けられている。ユニット用接触式ＩＣチップ３１は、接続線３２を介してユニット用接触電極３３とＬＥＤ３７に接続するとともに、接触電極１１にも接続している。
【００２４】
図４は、図３のＡ部拡大断面図である。
接触電極１１は、背板１０ａから突き出している。接触電極１１は、絶縁部１２を挟んでプラス電極端子１３とマイナス電極端子１４を設けたサンドイッチ構造をなす。プラス電極端子１３の先端部とマイナス電極端子１４の先端部は、肉厚にされ、断面が外向きに張り出す半円状をなすストッパ１３ａ、１４ａが設けられている。
【００２５】
被保管物用接触電極１７は、ＩＣ側プラス電極端子１８とＩＣ側マイナス電極端子１９との間に絶縁部２０を挟んだサンドイッチ構造をなす。ＩＣ側プラス電極端子１８とＩＣ側マイナス電極端子１９は、端部を折り曲げられ、互いに近接する方向に向かってバネ性がもたせられている。以下の説明では、ＩＣ側プラス電極端子１８とＩＣ側マイナス電極端子１９が最も近接し、接触電極１１に接触する部位を第１接点１８ａと第２接点１９ａという。ＩＣ側プラス電極端子１８とＩＣ側マイナス電極端子１９が弾性変形していない復帰状態では、第１接点１８ａと第２接点１９ａは接触電極１１の厚さより小さい隙間を空け、不意な電流を接触式ＩＣチップ１６に流さないようにしている。ＩＣ側プラス電極端子１８とＩＣ側マイナス電極端子１９は、第１接点１８ａと第２接点１９ａより先端部を外向きに折り曲げられ、ガイド部１８ｂとガイド部１９ｂがそれぞれ設けられており、接触電極１１を第１接点１８ａと第２接点１９ａとの間に挿入しやすくしている。
【００２６】
図５は、保管庫用ユニット１０の検出構造を示す図である。
保管庫１の内側面には、保管庫用接触電極４１が突設されている。保管庫用接触電極４１は、絶縁部４２の両側に保管庫用プラス電極端子４３と保管庫用マイナス電極端子４４を設けたサンドイッチ構造をなす。保管庫用プラス電極端子４３と保管庫用マイナス電極端子４４は、先端部が肉厚にされ、断面半円形状のストッパ部４３ａ、４４ａがそれぞれ設けられている。保管庫用プラス電極端子４３と保管庫用マイナス電極端子４４は、保管庫１の制御装置８に接続されている。
【００２７】
一方、ユニット用接触電極３３も、ユニット用プラス電極端子３４とユニット用マイナス電極端子３５との間に絶縁部３６を設けたサンドイッチ構造をなす。ユニット用プラス電極端子３４とユニット用マイナス電極端子３５は、端部を折り曲げられ、互いに近接する方向に向かってバネ性がもたせられている。以下の説明では、ユニット用プラス電極端子３４とユニット用マイナス電極端子３５が最も近接し、保管庫用接触電極４１に接触する部位を第３接点３４ａと第４接点３５ａという。ユニット用プラス電極端子３４とユニット用マイナス電極端子３５が弾性変形していない復帰状態では、第３接点３４ａと第４接点３５ａは保管庫用接触電極４１の厚さより小さい隙間を空け、不意な電流をユニット用接触式ＩＣチップ３１に流さないようにしている。ユニット用プラス電極端子３４とユニット用マイナス電極端子３５は、第３接点３４ａと第４接点３５ａより先端部を外向きに折り曲げられ、ガイド部３４ｂとガイド部３５ｂがそれぞれ設けられており、接触電極４１を第３接点３４ａと第４接点３５ａとの間に挿入しやすくしている。
【００２８】
図６は、書類ファイル１５を検出するために保管庫１に設けられる電気回路を示す概念図である。
保管庫１の制御装置８には、保管庫用プラス電極端子４３と保管庫用マイナス電極端子４４とが接続している。保管庫用プラス電極端子４３には、保管庫用ユニット１０のユニット用プラス電極端子３４が接続し、保管庫用プラス電極端子４３からユニット用プラス電極端子３４へ電流供給可能にされる。
【００２９】
ユニット用プラス電極端子３４は、ＬＥＤ３７と抵抗３８を介してユニット用マイナス電極端子３５に接続されている。また、ユニット用プラス電極端子３４とユニット用マイナス電極端子３５との間には、ＬＥＤ３７と並列にユニット用接触式ＩＣチップ３１が設けられている。マイナス電極端子３５は、保管庫１に設けた保管庫用マイナス電極端子４４に接続され、ユニット用接触式ＩＣチップ３１のデータを保管庫用マイナス電極端子４４へ出力するようになっている。
【００３０】
また、保管庫用ユニット１０は、ユニット用マイナス電極端子３５と並列にプラス電極端子１３が設けられている。プラス電極端子１３は、書類ファイル１５に設けられた接触式ＩＣチップ１６などを介してマイナス電極端子１４に接続される。
【００３１】
書類ファイル１５のＩＣ側プラス電極端子１８は、ＬＥＤ２２と抵抗２３を介してＩＣ側マイナス電極端子１９に接続されている。ＩＣ側プラス電極端子１８とＩＣ側マイナス電極端子１９との間には、接触式ＩＣチップ１６がＬＥＤ２２と並列に設けられている。ＩＣ側マイナス電極端子１９は、保管庫用ユニット１０のマイナス電極端子１４に接続され、接触式ＩＣチップ１６のデータをマイナス電極端子１４に出力するようになっている。
【００３２】
マイナス電極端子１４に入力されたデータは、ユニット用マイナス電極端子３５から保管庫用マイナス電極端子４４を介して制御装置８へ出力される。
【００３３】
＜保管庫用ユニットの取付＞
保管庫１に設けられた棚７の間に保管庫用ユニット１０を挿入する。ユニット用接触電極３３のユニット用プラス電極端子３４とユニット用マイナス電極端子３５とが、保管庫用接触電極４１の保管庫用プラス電極端子４３と保管庫用マイナス電極端子４４とに接触すると、制御装置８から保管庫用接触電極４１に供給された電流が、保管庫用プラス電極端子４３からユニット用プラス電極端子３４、ユニット用接触式ＩＣチップ３１、ユニット用マイナス電極端子３５を介して保管庫用マイナス電極端子４４へ流れる。この電流によってユニット用接触式ＩＣチップ３１が駆動する。ユニット用プラス電極端子３４に供給された電流は、ＬＥＤ３７にも流れ、ＬＥＤ３７を点灯させる。従って、利用者は、ＬＥＤ３７の発光を見て、ユニット用接触式ＩＣチップ３１を保管庫用接触電極４１に適切に接触させるように保管庫用ユニット１０を保管庫１に挿入したことを確認する。この状態で、保管庫用ユニット１０を保管庫１にボルトなどで固定する。
【００３４】
尚このとき、制御装置８は、保管庫用ユニット１０にレイアウト問い合わせ信号を出力し、保管庫用ユニット１０に関するデータを各保管庫用ユニット１０に取り付けられたユニット用接触式ＩＣチップ３１から保管庫用接触電極４１を介して取得する。制御装置８は、入力したデータを記憶し、必要に応じて上位装置へ転送する。これにより、制御装置及び上位装置が保管庫１のレイアウトを把握し、利用者が保管庫１のレイアウトを入力する手間がかからない。
【００３５】
＜書類ファイルの収納＞
上記のようにして保管庫１に保管庫用ユニット１０を固定したら、書類ファイル１５を保管庫用ユニット１０に挿入していく。書類ファイル１５に設けられた被保管物用接触電極１７のＩＣ側プラス電極端子１８とＩＣ側マイナス電極端子１９が、保管庫用ユニット１０に設けられた接触電極１１のプラス電極端子１３とマイナス電極端子１４とに接触すると、ユニット用プラス電極端子３４に供給された電流が、プラス電極端子１３から書類ファイル１５のＩＣ側プラス電極端子１８、接触式ＩＣチップ１６、ＩＣ側マイナス電極端子１９を介して接触電極１１のマイナス電極端子１４へ流れる。この電流によって接触式ＩＣチップ１６が駆動する。ＩＣ側プラス電極端子１８に供給された電流は、ＬＥＤ２２にも流れ、ＬＥＤ２２を点灯させる。従って、利用者は、ＬＥＤ２２の発光を見て、接触式ＩＣチップ１６を接触電極１１に適切に接触させるように書類ファイル１５を保管庫用ユニット１０に挿入したことを確認する。
【００３６】
利用者は、このようにＬＥＤ２２の発光を確認しながら、書類ファイル１５を保管庫１に収納していく。書類ファイル１５の収納が完了したら、扉３を閉じる。制御装置８は、扉３の閉状態を確認すると電子錠５を駆動し、扉３を施錠する。
【００３７】
扉３の施錠をトリガとして、制御装置８は、書類ファイル１５の有無を検出するためのファイル問い合わせ信号を保管庫用ユニット１０に出力する。ファイル問い合わせ信号は、保管庫用ユニット１０の保管庫側接触電極４１、ユニット用接触電極３３、接触電極１１へと出力される。
【００３８】
保管庫用ユニット１０に収納されている書類ファイル１５は、接触電極１１にＩＣ側プラス電極端子１８とＩＣ側マイナス電極端子１９とを接触させているため、接触式ＩＣチップ１６が駆動して、ファイル問い合わせ信号に対する応答信号を接触電極１１へ出力する。応答信号は、接触電極１１からユニット用接触電極３３、保管庫用接触電極４１を介して制御装置８に入力される。制御装置８は、入力した応答信号を解析し、保管庫用ユニット１０に収納されている書類ファイル１５を認識する。
【００３９】
＜書類ファイルの貸出＞
利用者が書類ファイル１５を借りる場合には、先ず、非接触式ＩＣカード（図示せず）を操作パネル５にかざす。すると、操作パネル５が非接触式ＩＣカード（図示せず）と交信して識別番号を取得し、本人認証を行う。制御装置８は、識別番号が正当であると判断したときには、電子錠５を駆動して扉３を開錠する。このとき、制御装置８は、操作パネル４に設けた表示部に暗証番号の入力画面を表示し、暗証番号の一致を確認してから電子錠５を開錠するようにしてもよい。
【００４０】
電子錠５が開錠したら、利用者は扉３を開き、所望の書類ファイル１５を取り出す。
【００４１】
書類ファイル１５の取り出しに伴って、書類ファイル１５に設けられたＩＣ側プラス電極端子１８とＩＣ側マイナス電極端子１９が、保管庫用ユニット１０に設けられたプラス電極端子１３とマイナス電極端子１４に接触しなくなり、接触電極１１が、取り出された書類ファイル１５の接触式ＩＣチップ１６からデータを読み取れなくなる。
【００４２】
そのため、利用者が扉３を閉じて施錠した後に、制御装置８がファイル問い合わせ信号を接触電極１１に出力しても、取り出された書類ファイル１５の接触式ＩＣチップ１６から応答信号を入力できない。制御装置８は、扉３の開閉前後のデータを比較して検出できたくなったデータを特定し、特定したデータに対応する書類ファイル１５が貸し出されたことを認識する。
【００４３】
＜書類ファイルの返却＞
一方、利用者が借りた書類ファイル１５を返却する場合には、書類ファイル１５の貸出時と同様に、非接触式ＩＣカード（図示せず）を操作パネル４にかざして本人認証を行い、開錠された扉３を開く。そして、借りていた書類ファイル１５を保管庫用ユニット１０に挿入する。このとき、利用者は、ＬＥＤ２２が点灯するように書類ファイル１５を保管庫用ユニット１０に挿入し、書類ファイル１５のＩＣ側プラス電極端子１８とＩＣ側マイナス電極端子１９とを、保管庫用ユニット１０に設けられたプラス電極端子１３とマイナス電極端子１４とに接触させる。
【００４４】
その後、利用者が扉３を閉じて施錠すると、制御装置８がファイル問い合わせ信号を接触電極１１に出力する。返却された書類ファイル１５の接触式ＩＣチップ１６は、ＩＣ側プラス電極端子１８とＩＣ側マイナス電極端子１９が保管庫用ユニット１０のプラス電極端子１３とマイナス電極端子１４に接触し、データを読み取られる。そのため、ファイル問い合わせ信号を受信した接触式ＩＣチップ１６は、応答信号を接触電極１１へ出力する。その応答信号は、接触電極１１からユニット用接触電極３３、保管庫用接触電極４１を経由して制御装置８に入力される。制御装置８は、扉３の開閉前後のデータを比較して増加したデータを特定し、特定したデータに対応する書類ファイル１５が返却されたことを認識する。
【００４５】
＜作用効果＞
上記構成を有する本実施形態の保管庫用ユニット１０は、接触電極１１が書類ファイル１５に取り付けられた接触式ＩＣチップ１６のデータを読み取り、その読み取り結果をユニット用接触電極３３から保管庫用接触電極４１を経由して保管庫１の制御装置８に送信するので、書類ファイル１５の種別や保管位置などを保管庫１の制御装置８に認識させる。そのため、保管庫用ユニット１０に収納される被保管物を利用者が入力しなくても、接触式ＩＣチップ１６のデータに基づいて保管庫１の制御装置８に自動入力することが可能である。よって、本実施形態の保管庫用ユニット１０によれば、ファイル管理（被保管物管理）を容易にすることができる。
【００４６】
また、本実施形態の保管庫用ユニット１０は、ベース板１０ｂの大きさが、保管庫１の棚７とほぼ同じであり、ねじなどの固定手段を用いてベース板１０ｂを保管庫１の棚７に固定するので、固定手段を外さなければ保管庫用ユニット１０を保管庫１から持ち出すことができず、保管庫用ユニット１０に収納される書類ファイル１５のセキュリティを確保できる。
【００４７】
また、本実施形態の保管庫用ユニット１０は、書類ファイル１５を保管庫用ユニット１０に収納するときに、第１接点１８ａと第２接点１９ａの間隔が接触電極１１の幅より狭いため、ＩＣ側プラス電極端子１８とＩＣ側マイナス電極端子１９が弾性変形した状態で第１接点１８ａと第２接点１９ａを接触電極１１のプラス電極１３とマイナス電極１４に接触させる。そのため、ＩＣ側プラス電極端子１８とＩＣ側マイナス電極端子１９は、自身の弾性力を用いて第１接点１８ａと第２接点１９ａを接触電極１１に擦り合わせて接触させる。この意味で、ＩＣ側プラス電極端子１８とＩＣ側マイナス電極端子１９は、「ＩＣチップ擦れ手段」に相当する。よって、本実施形態の保管庫用ユニット１０は、接触式ＩＣチップ１６に記憶されるデータの読み取り不良を防止することができる。
【００４８】
（第２実施形態）
続いて、本発明の保管庫に係る第２実施形態について図面を参照して説明する。図７は、保管庫用ユニット５２を取り付けられた保管庫５１を示す外観斜視図である。
本実施形態の保管庫用ユニット５２は、被保管物が異なる保管庫用ユニット５２Ａ，５２Ｂ，５２Ｃ，５２Ｄを組み合わせて取り付けられる点で第１実施形態と相違する。よって、ここでは第１実施形態と相違する点を中心に説明し、第１実施形態と共通する点は第１実施形態と同一符号を図面や説明に用い、説明を適宜省略することにする。
【００４９】
保管庫５１は、棚７の間に被保管物の異なる保管庫用ユニット５２Ａ，５２Ｂ，５２Ｃ，５２Ｄを取り付けている。第１保管庫用ユニット５２Ａは、書類ファイル１５を収納するためのものである。第２保管庫用ユニット５２Ｂは、ＣＤ７５又はＭＤを収納するためのものである。第３保管庫用ユニット５２Ｃは、鍵９３又はＵＳＢ９９を収納するためのものである。第４保管庫用ユニット５２Ｄは、パーソナルコンピュータ（以下「ＰＣ」という。）１１３を収納するためのものである。第１〜第４保管庫用ユニット５２Ａ，５２Ｂ，５２Ｃ，５２Ｄは、被保管物の検出方法が各々異なるので、各ユニット構造を以下に説明する。
【００５０】
＜第１保管庫用ユニットの構成＞
第１保管庫用ユニット５２Ａは、棚７と略同一面積に形成されたベース板６１に複数の仕切板６２を着脱自在に取り付けたものである。ベース板６１には、複数のＩＣチップデータ読取部６３が横一列に並んで設けられている。ＩＣチップデータ読取部６３は、第１読取部６４と第２読取部６５を書類ファイル１５の収納方向に並べて配置している。収納方向に２つ並べて配置するのは、データの読み取り順序によって書類ファイル１５の入庫と出庫を判別するためである。
【００５１】
一方、書類ファイル１５には、接触式ＩＣチップ６６がカバーに接着剤などで固定されている。接触式ＩＣチップ６６に設けられた第１端子６７と第２端子６８は、ベース板６１の第１読取部６４と第２読取部６５に接触するように書類ファイル１５のカバー下端部に設けられている。書類ファイル１５には、第１接点６７と第２接点６８に流れる電流を利用して点灯するＬＥＤ６９が書類ファイル１５の背表紙に取り付けられている。
【００５２】
かかる第１保管庫用ユニット５２Ａは、第１読取部６４と第２読取部６５を保管庫５１の制御装置８に接続するための中継装置７０を備える。中継装置７０は、周知のコンピュータ機能を有するものであり、第１読取部６４と第２読取部６５が読み取ったデータを記憶するメモリや、メモリに記憶したデータを保管庫５１の制御装置８に送信する送信部を備える。
【００５３】
本実施形態では、第１読取部６４と第２読取部６５が「ＩＣチップデータ読取り手段」に相当し、第１接点６７と第２接点６８が「接触式ＩＣチップに設けられた２つの端子」に相当する。また、中継装置７０のメモリが「被保管物記憶手段」に相当し、中継装置７０の送信部が「送信手段」に相当する。
【００５４】
＜第２保管庫用ユニットの構成＞
図９は、第２保管庫用ユニット５２Ｂを示す図である。
第２保管庫用ユニット５２Ｂは、一方に開口する箱体７１が隔壁７２によって上下２段に仕切られ、上下段にそれぞれＣＤ−ＲＯＭ又はＭＯを６０枚ずつ収納できるようにされている。本実施形態では、第２保管庫用ユニット５２Ｂはケース７６に入ったＣＤ−ＲＯＭ７５を収納するものとする。尚、以下の説明では、ケースを含めてＣＤ−ＲＯＭ７５というものとする。箱体７１は、底面が棚７とほぼ同じ大きさにされ、棚７の間にほとんど隙間無く入り込む大きさにされている。箱体７１にも仕切板７４が着脱自在に設けられている。
【００５５】
図１０は、図９に示すＣＤ−ＲＯＭ７５の収納構造を示す図である。
ＣＤ−ＲＯＭ７５は、ケース７６に接触式ＩＣチップ７７が取り付けられている。接触式ＩＣチップ７７は、第１端子７８と第２端子７９がケース７６の下端面から露出している。
【００５６】
保管庫用ユニット５２Ｂの箱体７１には、第１端子７８と第２端子７９に接触する第１電極８１と第２電極８２が設けられている。第１電極８１と第２電極８２は、金属板を折り曲げたものである。第１電極８１と第２電極８２は、折り曲げた頂部がＣＤ−ＲＯＭ７５の収納経路上に突き出すように箱体７１に保持され、その突き出した頂部をＣＤ−ＲＯＭ７５に押圧されることにより変形してＣＤ−ＲＯＭ７５の進路を広げるように構成されている。変形した第１電極８１と第２電極８２は、弾性力を発生し、頂部を第１端子７８と第２端子７９に押しつける。この意味で、第１電極８１と第２電極８２は、「ＩＣチップ擦れ手段」の役割も果たす。
【００５７】
第１電極８１と第２電極８２の真上には、「付勢手段」の一例である第１付勢部材８３と第２付勢部材８４が設けられ、第１端子７８と第２端子７９を第１電極８１と第２電極８２に向かって押しつけるようにＣＤ−ＲＯＭ７５を図中下向きに付勢している。
【００５８】
箱体７１の奥側には、リミットスイッチ８５がＣＤ−ＲＯＭ７５毎に設けられている。リミットスイッチ８５には、接続線８６を介してＬＥＤ８７が接続し、リミットスイッチ８５がオン状態のときにＬＥＤ８７が発光するようになっている。
【００５９】
かかる第２保管庫用ユニット５２Ｂは、第１電極８１と第２電極８２を保管庫５１の制御装置８に接続するための中継装置８８を備える。中継装置８８は、周知のコンピュータ機能を有するものであり、第１電極８１と第２電極８２が読み取ったデータを記憶するメモリや、メモリに記憶されるデータを保管庫５１の制御装置８に送信する送信部などを備える。
【００６０】
本実施形態では、第１電極８１と第２電極８２が「ＩＣチップデータ読取り手段」に相当し、第１端子７８と第２端子７９が「接触式ＩＣチップに設けられた２つの端子」に相当する。また、中継装置８８のメモリが「被保管物記憶手段」に相当し、中継装置８８の送信部が「送信手段」に相当する。
【００６１】
＜第３保管庫用ユニットの構成＞
図１１は、第３保管庫用ユニット５２Ｃを示す図である。
第３保管庫用ユニット５２Ｃは、箱状の本体９１に複数（本実施形態では６０個）の収納凹部９２が設けられている。収納凹部９２は、ＵＳＢ９９のホルダ９４又は鍵９３のホルダ９４を収納するように設けられている。尚、本実施形態では、鍵９３とホルダ９４、及び、ＵＳＢ９９とホルダ９４により特許請求の範囲の「被保管物」を構成するが、以下では説明の便宜上、被保管物としての鍵９３又はＵＳＢ９９というときにはホルダ９４をそれぞれ含むものとする。
【００６２】
図１２は、図１１に示す鍵９３の収納構造を示す図である。
ホルダ９４は、樹脂成形品であって、対向する側面にガイド溝９４ａ，９４ｂが設けられている。ガイド溝９４ｂには、接触式ＩＣチップ９５が埋設されている。そして、ガイド溝９４ａ，９４ｂには、接触式ＩＣチップ９５に接続する第１接点９６と第２接点９７が露出して設けられている。ガイド溝９４ａ，９４ｂには、クリーンテープ９８が各々貼り付けられ、第１接点９６と第２接点９７に接触する第１電極１０１と第２電極１０２に付着した酸化膜等の汚れを擦り取るようになっている。
【００６３】
図１３は、図１２に示す鍵９３の収納構造を上方から見た図である。
本体９１の収納凹部９２は、内側面に開口部が形成され、その開口部から第１電極１０１と第２電極１０２が露出している。第１電極１０１と第２電極１０２は、導電性を有する金属製板材を折り曲げて弾性を持たせたものであり、本体９１に変形可能に保持されている。第１電極１０１と第２電極１０２は、頂部を収納凹部９２に突き出し、頂部をホルダ９４に押圧されたときには収納凹部９２から退避するように変形し、頂部をホルダ９４に押圧されなくなると自身の弾性力によって頂部を収納凹部９２に突き出すように復元する。
【００６４】
図１２に示すように、収納凹部９２には、リミットスイッチ１０３が配設され、ホルダ９４によってスイッチをオン・オフされるようになっている。本体９１には、ＬＥＤ１０４が取り付けられ、リミットスイッチ１０３がオン状態にされているときに点灯するようになっている。また、本体９１には、ソレノイド１０５の駆動によって揺動する係止レバー１０６が内蔵され、ホルダ９４の係合凹部９４ｃに係止レバー１０６を係合させることにより鍵９３の入出庫を制限するようになっている。
【００６５】
かかる第３保管庫用ユニット５２Ｃは、第１電極１０１と第２電極１０２を保管庫５１の制御装置８に接続するための中継装置１０７を備える。中継装置１０７は、周知のコンピュータ機能を有するものであり、第１電極１０１と第２電極１０２が読み取ったデータを記憶するメモリや、メモリに記憶されたデータを保管庫５１の制御装置８へ送信する送信部などを備える。
【００６６】
本実施形態では、第１電極１０１と第２電極１０２が「ＩＣチップデータ読取り手段」に相当し、第１接点９６と第２接点９７が「接触式ＩＣチップに設けられた２つの端子」に相当する。また、中継装置１０７のメモリが「被保管物記憶手段」に相当し、中継装置１０７の送信部が「送信手段」に相当する。
【００６７】
＜第４保管庫用ユニットの構成＞
図１４は、第４保管庫用ユニット５２Ｄの外観斜視図である。
第４保管庫用ユニット５２Ｄは、金属製の箱体１１１に棚１１２を設け、ノート型パソコン（以下「ノートＰＣ」という。）１１３を収納するようになっている。ノート型パソコン１１３には、セキュリティワイヤ１１４を介してホルダ９４が取り付けられている。ホルダ９４の構造は上述したので説明を省略する。箱体１１１には、棚１１２の間に制御装置１１５，１１５が配設されている。制御装置１１５には、収納凹部９２が設けられている。収納凹部９２の構造は上述したので説明を省略する。
【００６８】
かかる第４保管庫用ユニット５２Ｄは、制御装置１１５に設けられた第１電極１０１と第２電極１０２を保管庫５１の制御装置８に接続するための中継装置１１６を備える。中継装置１１６は、周知のコンピュータ機能を有するものであり、制御装置１１５に設けられた第１電極１０１と第２電極１０２が読み取ったデータを記憶するメモリを備える。
【００６９】
本実施形態では、制御装置１１５の第１電極１０１と第２電極１０２が「ＩＣチップデータ読取り手段」に相当し、ホルダ９４の第１接点９６と第２接点９７が「接触式ＩＣチップに設けられた２つの端子」に相当する。また、中継装置１１６のメモリが「被保管物記憶手段」に相当し、中継装置１１６の送信部が「送信手段」に相当する。
【００７０】
＜保管庫用ユニットの取付＞
第１〜第４保管庫用ユニット５２Ａ〜５２Ｄは、各中継装置７０、８８、１０７、１１６を保管庫５１の制御装置８に通信線や電力線等で接続した状態で棚７の間に設置され、ボルトなどの固定部材を用いて保管庫５１に固定される。
【００７１】
第１〜第４保管庫用ユニット５２Ａ〜５２Ｄは、電力線を介して制御装置８から電流を供給されると、各接触式ＩＣチップ６６、７７、９５、９５のデータを読み取って中継装置７０、８８、１０７、１１６にそれぞれ記憶する。これにより、各保管庫用ユニット５２Ａ，５２Ｂ，５２Ｃ，５２Ｄは収納されている被保管物のデータを各々認識する。各中継装置７０，８８，１０７，１１６は制御装置８から通信線を介して問い合わせがあったときに、メモリに記憶した接触式ＩＣチップ６６，７７，９５，９５のデータをそれぞれ出力する。そのため、保管庫５１の制御装置８は、自動的に被保管物のデータを認識し得る。
【００７２】
尚、中継装置７０，８８，１０７，１１６のメモリに各保管庫用ユニット５２Ａ，５２Ｂ，５２Ｃ，５２Ｄに関するデータをそれぞれ記憶させておけば、制御装置８が中継装置７０，８８，１０７，１１６にレイアウト問い合わせ信号を送信し、中継装置７０，８８，１０７，１１６からの応答信号に基づいて保管庫５１のレイアウトを自動認識することが可能である。
【００７３】
＜書類ファイルの管理＞
書類ファイル１５を保管庫５１から借りるために、利用者が第１保管庫用ユニット５２Ａから書類ファイル１５を持ち出すと、書類ファイル１５の第１端子６７と第２端子６８が第１保管庫用ユニット５２Ａの第１読取部６４と第２読取部６５に接触しなくなり、第１読取部６４と第２読取部６５が接触式ＩＣチップ６６のデータを読み取れなくなる。この時点で、中継装置７０のメモリから取り出された書類ファイル１５に関するデータを削除する。そのため、制御装置８が中継装置７０に書類ファイル１５の問い合わせをしても、中継装置７０は取り出された書類ファイル１５のデータを制御装置８に出力できない。制御装置８は、取り出された書類ファイル１５のデータを検出できなくなったことにより、書類ファイル１５が保管庫５１から貸し出されたことを認識する。
【００７４】
このとき、取り出された書類ファイル１５の第１端子６７と第２端子６８との間に電流が流れなくなるため、ＬＥＤ６９が消灯し、第１端子６７と第２端子６８が第１読取部６４と第２読取部６５に接触しなくなったことを利用者に報知する。
【００７５】
書類ファイル１５を保管庫５１に返却するために書類ファイル１５を第１保管庫用ユニット５２Ａに挿入すると、第１読取部６４と第２読取部６５が書類ファイル１５の第１端子６７と第２端子６８に接触し、接触式ＩＣチップ６６のデータを読み取る。読み取ったデータは、中継装置７０に一時的に記憶され、中継装置７０が制御装置８からの問い合わせに応じて記憶したデータを制御装置８に送信する。制御装置８は、受信したデータを解析し、保管庫５１に収納されている書類ファイル１５を認識する。
【００７６】
このとき、第１端子６７と第２端子６８との間を流れる電流を利用してＬＥＤ６９が点灯し、第１端子６７と第２端子６８が第１読取部６４と第２読取部６５に適切に接触したことを利用者に報知する。
【００７７】
＜ＣＤ−ＲＯＭの管理＞
ＣＤ−ＲＯＭ７５を保管庫５１から借りるためにＣＤ−ＲＯＭ７５を第２保管庫用ユニット５２Ｂから取り出すと、ＣＤ−ＲＯＭ７５の第１端子７８と第２端子７９が第２保管庫用ユニット５２Ｂの第１電極８１と第２電極８２に接触しなくなり、第１電極８１と第２電極８２が接触式ＩＣチップ７７のデータを読み取れなくなる。この時点で、中継装置８８は取り出されたＣＤ−ＲＯＭ７５に関するデータをメモリから削除する。そのため、制御装置８が中継装置８８にＣＤ−ＲＯＭの有無を問い合わせたときに、取り出されたＣＤ−ＲＯＭ７５に関するデータが制御装置８に出力されない。これにより、制御装置８は、認識できなくなったデータに対応するＣＤ−ＲＯＭ７５が貸し出されたことを認識する。尚、ＣＤ−ＲＯＭ７５の出庫は、第２端子７９、第１端子７８の順に第１，第２電極８１，８２が接触しなくなることによっても検出できる。
【００７８】
このとき、リミットスイッチ８５がオン状態からオフ状態に切り替えられ、ＬＥＤ８７が消灯する。
そして、ＣＤ−ＲＯＭ７５が取り出されたときに、第１電極８１と第２電極８２、及び、第１付勢部材８３と第２付勢部材８４がそれぞれ復元し、ＣＤ−ＲＯＭ７５の収納経路上に突き出る。
【００７９】
ＣＤ−ＲＯＭ７５を保管庫５１に返却するためのＣＤ−ＲＯＭ７５を第２保管庫用ユニット５２Ｂに挿入すると、ＣＤ−ＲＯＭ７５が第１電極８１と第２電極８２の頂部を押圧して第１電極８１と第２電極８２を弾性変形させる。第１電極８１と第２電極８２は、自身の弾性力によって第１端子７８と第２端子７９に擦れ合い、第１端子７８と第２端子７９に押しつけられて接触する。この接触時に、第１電極８１と第２電極８２は接触式ＩＣチップ７７のデータを読み取る。読み取られたデータは中継装置８８のメモリに記憶される。制御装置８８は、中継装置８８から挿入されたＣＤ−ＲＯＭ７５に関するデータを入力し、当該ＣＤ−ＲＯＭ７５が返却されたことを認識する。尚、ＣＤ−ＲＯＭ７５の入庫は、第１端子、第２端子７９の順に第１，第２端子８１，８２が接触することによっても検出できる。
【００８０】
そしてこのとき、リミットスイッチ８５がオフ状態からオン状態に切り替えられて、ＬＥＤ８７が点灯し、ＣＤ−ＲＯＭ７５が第２保管庫用ユニット５２Ｂの適切な位置に返却されたことを利用者に報知する。
【００８１】
＜鍵の管理＞
【００８２】
ＩＣカード（図示せず）を操作パネル４にかざして電子錠５を開錠するときに、制御装置８はＩＣカードに記憶される情報に基づいて利用者に使用権限が与えられている鍵９３を特定し、特定した鍵９３に対応するソレノイド１０５を駆動して係止レバー１０６とホルダ９４の係合凹部９４ｃとの係合状態を解除する。利用者が、係合状態を解除されたホルダ９４のうち、使用したい鍵９３のホルダ９４を引っ張ると、ホルダ９４が収納凹部９２から抜き出される。これにより、第３保管庫用ユニット５２Ｃの第１電極１０１と第２電極１０２がホルダ９４の第１接点９６と第２接点９７に接触しなくなり、接触式ＩＣチップ９５のデータを読み取れなくなる。この時点で中継装置１０７は読み取れなくなったデータをメモリから削除する。そのため、制御装置８が中継装置１０７に鍵９３の有無を問い合わせると、中継装置１０７は取り出された鍵９３に関するデータを制御装置８に出力しない。制御装置８は、検出できなくなったデータを特定し、特定したデータに対応する鍵９３が貸し出されたことを認識する。
【００８３】
ホルダ９４の取り出しに伴ってリミットスイッチ１０３がホルダ９４に押圧されなくなり、ＬＥＤ１０４が消灯する。そして、ソレノイド１０５が係止レバー１０６を元の位置に復帰させ、係止レバー１０６の先端部をホルダ９４の収納経路上に突き出させる。また第１電極１０１と第２電極１０２がホルダ９４に押圧されなくなって復元し、頂部を収納凹部９２内に突き出す。
【００８４】
尚、扉３を開いたときに利用者が使用権限のない鍵９３を取り出そうとしてホルダ９４を引っ張っても、ホルダ９４の係合凹部９４ｃに係止レバー１０６が係合しているため、ホルダ９４を収納凹部９２から抜き出すことができず、鍵９３を保管庫５１から持ち出せない。
【００８５】
一方、鍵９３を保管庫５１に返却するために、ＩＣカード（図示せず）を操作パネル４にかざすと、利用者に使用権限が付与された鍵９３に対応する係止レバー１０６が揺動し、係止レバー１０６の先端部をホルダ９４の収納経路上から退避させる。利用者がホルダ９４を第３保管庫用ユニット５２Ｃの収納凹部９２に挿入すると、保管庫用ユニット５２Ｃの第１電極１０１と第２電極１０２がホルダ９４に押圧されて弾性変形し、第１接点９６と第２接点９７に各々接触する。このとき、第１電極１０１と第２電極１０２は自身の弾性力によって、頂部を第１接点９６と第２接点９７に擦り合わせて接触させる。この接触により、第１電極１０１と第２電極１０２は接触式ＩＣチップ９５のデータを読み取る。読み取ったデータは、中継装置１０７に記憶され、制御装置８からの問い合わせに応じて制御装置８に出力される。制御装置８は受信したデータを解析してデータの増加を検出し、増加したデータに対応する鍵９３が保管庫５１に返却されたことを認識する。
【００８６】
尚、ホルダ９４がリミットスイッチ１０３をオフ状態からオン状態に切り替えると、ＬＥＤ１０４が点灯し、ホルダ９４が適切な位置まで挿入されたことを利用者に報知する。その後、ソレノイド１０５が駆動して係止レバー１０６を揺動させ、係止レバー１０６をホルダ９４の係合凹部９４ｃに係合させ、鍵９３の持ち出しを制限する。
【００８７】
＜ノートＰＣの管理＞
ノートＰＣ１１３は、ホルダ９４の係合凹部９４ｃに制御装置１１５の係止レバー１０６が係合した状態では、セキュリティワイヤ１１４とホルダ９４を介して第４保管庫用ユニット５２Ｄに連結されているため、第４保管庫用ユニット５２Ｄから持ち出すことができない。かかるノートＰＣ１１３の貸出動作と返却動作は鍵９３と同様であるので説明を省略する。
【００８８】
＜作用効果＞
上記構成を有する本実施形態の保管庫用ユニット５２Ａ，５２Ｂ，５２Ｃ，５２Ｄは、第１読取部６４と第２読取部６５、第１電極８１と第２電極８２、第１電極１０１と第２電極１０２、制御装置１１５の第１電極１０１と第２電極１０２が書類ファイル１５、ＣＤ−ＲＯＭ７５、鍵９３、ノートＰＣ１１３に取り付けられた接触式ＩＣチップ６６、７７、９５のデータを読み取り、その読み取り結果を中継手段７０、８８、１０７、１１６から保管庫５１の制御装置８に送信する。そのため、保管庫用ユニット５２Ａ，５２Ｂ，５２Ｃ，５２Ｄに収納される書類ファイル１５、ＣＤ−ＲＯＭ７５、鍵９３、ノートＰＣ１１３を利用者が制御装置８に入力しなくても、保管庫５１の制御装置８に自動登録することが可能である。よって、本実施形態の保管庫用ユニット５２Ａ，５２Ｂ，５２Ｃ，５２Ｄによれば、被保管物管理を容易にすることができる。
【００８９】
特に、本実施形態の保管庫用ユニット５２Ａ，５２Ｂ，５２Ｃ，５２Ｄは、接触式ＩＣチップ６６，７７，９５のデータを中継装置７０，８８，１０７，１１６のメモリに記憶し、中継装置７０，８８，１０７，１１６のメモリに記憶しているデータを保管庫５１の制御装置８からの問い合わせに応じて制御装置８に送信する。そのため、保管庫用ユニット５２Ａ，５２Ｂ，５２Ｃ，５２Ｄに収納する書類ファイル１５、ＣＤ−ＲＯＭ７５、鍵９３、ノートＰＣ１１３の数が多い場合でも、中継装置７０，８８，１０７，１１６のメモリに一時的に記憶させることができ、被保管物管理を円滑に行うことができる。
【００９０】
また、本実施形態の保管庫用ユニット５２は、書類ファイル１５を収納する第１保管庫用ユニット５２Ａと、ＣＤ−ＲＯＭ７５又はＭＯを収納する第２保管庫用ユニット５２Ｂと、鍵９３、ホルダー９４又はＵＳＢ９９を収納する第３保管庫用ユニット５２Ｃと、ノートＰＣ１１３を収納する第４保管庫用ユニット５２Ｄとを棚７の間に着脱自在に装着している。そのため、例えば、利用者が書類ファイル１５の使用頻度が低いのに対して、鍵９３の管理数が多い場合には、第１保管庫用ユニット５２Ａを取り外して第３保管庫用ユニット５２Ｃに交換すれば、書類ファイル１５の保管をやめて、鍵９３の収納数を増やすことができる。よって、本実施形態の保管庫５１によれば、第１〜第４保管庫用ユニット５２Ａ，５２Ｂ，５２Ｃ，５２Ｄを交換して保管庫５１のレイアウトを変えるだけで、保管庫５１に収納する被保管物の種類を簡単に変更できる。
【００９１】
（第３実施形態）
続いて、本発明の第３実施形態について図面を参照して説明する。図１５は、保管庫用ユニット１２２を取り付けられた保管庫１２１を示す図である。
本実施形態の保管庫用ユニット１２２は、保管庫１２１の正面側からボルト１２３で固定されている点が第２実施形態と相違する。よって、ここでは、第２実施形態と相違する点を中心に説明し、共通する点については図面と説明で同一符号を用い、説明を適宜省略する。
【００９２】
保管庫用ユニット１２２Ａ，１２２Ｂ，１２２Ｃ，１２２Ｄは、基本的に、第２実施形態の保管庫用ユニット５２Ａ，５２Ｂ，５２Ｃ，５２Ｄと同一構造を有するが、正面側にボルト２３を固定するためのフランジ部１２４Ａ，１２４Ｂ，１２４Ｃ，１２４Ｄを有する点が相違する。尚、以下の説明で保管庫用ユニット１２２Ａ，１２２Ｂ，１２２Ｃ，１２２Ｄとフランジ部１２４Ａ，１２４Ｂ，１２４Ｃ，１２４Ｄを区別する必要がない場合には、添字を省略し、保管庫用ユニット１２２とフランジ１２４ということにする。
【００９３】
図１６は、図１５に示す保管庫用ユニット１２２の取付構造を示す図である。
保管庫１２１は、棚７に変えて、保持部材１２５が固定される。保持部材１２５は、剛性の高い金属板であり、端部を折り曲げることによって、保管庫１２１に固定される第１固定部１２６と、保管庫用ユニット１２２を固定される第２固定部１２７とが設けられている。
【００９４】
＜保管庫用ユニットの取付＞
保持部材１２５の第１固定部１２６を保管庫１２１を構成する本体２の側面に位置合わせし、ボルトで固定する。保持部材１２５を４箇所に取り付けたら、取り付けた保持部材１２５の間に保管庫用ユニット１２２を挿入し、フランジ部１２４を保持部材１２５の第２固定部１２７に位置合わせし、ボルト１２３で固定する。尚、本実施形態では、保持部材１２５とボルト１２３が「固定手段」を構成するものとする。
【００９５】
＜作用効果＞
よって、本実施形態の保管庫用ユニット１２２によれば、保持部材１２５を保管庫１２１にボルト止めした後、保管庫用ユニット１２２のフランジ部１２４を保持部材１２５にボルト１２３で固定することにより、保管庫１２１に取り付けられるので、ボルト１２３を外さなければ保管庫用ユニット１２２を持ち出すことができず、セキュリティ性が高い。
【００９６】
ここで、保管庫用ユニット１２２は正面側からボルト１２３を締結できるようにフランジ部１２４を設けている。そのため、保管庫用ユニット１２２の取付性がよい。
また、保持部材１２５を介して保管庫用ユニット１２２を保管庫１２１に取り付けるので、隣り合う保管庫用ユニット１２２の側面を接触させて保管庫１２１のレイアウトを決めることができ、保管庫１２１内に無駄なスペースができない。しかも、棚７が不要になるので、コストダウンと軽量化を図ることができる。
【００９７】
尚、本発明は、上記実施の形態に限定されることなく、色々な応用が可能である。
上記実施形態では、１つの保管庫に複数の保管庫用ユニットを収納したが、例えば図１７に示すように、１個の保管庫用ユニット１２２Ｂを１個の保管庫１３１に挿入し、ボルト１２３で固定するようにしてもよい。この場合、保管庫用ユニット１２２Ｂを他の保管庫用ユニット１２２Ａ，１２２Ｃ，１２２Ｄに交換するだけで、保管庫１３１の被保管物をセキュリティを確保しながら変更することができる。
上記実施形態では、ボルトを用いて保管庫用ユニットを保管庫に固定したが、凹凸部の係合などによって保管庫用ユニットを保管庫に位置決め固定するようにしてもよい。
上記第１、第２実施形態では、保管庫用ユニット１０，５２を固定したが、被保管物の入出庫に支障がなければ必ずしも保管庫用ユニット１０，５２を固定しなくてもよい。
【００９８】
上記第１実施形態の保管庫用ユニット１０に中継装置を設けてもよい。この場合、予め保管庫用ユニット１０の書類ファイル１５を収納し、書類ファイル１５のデータを中継装置に記憶させておき、保管庫用ユニット１０を保管庫１の制御装置８に接続したときに、中継装置のデータを制御装置８に提供するようにしてもよい。これによれば、書類ファイル１５を制御装置８に登録する手間と時間を少なくすることができる。
上記第２実施形態では、ホルダ９４を介して鍵９３を第３保管庫用ユニット５２Ｃに収納したが、鍵９３に接触式ＩＣチップ９５を取り付け、接触式ＩＣチップ９５に設けた２つの端子を保管庫用ユニット５２の第１電極１０１と第２電極１０２に接触させて接触式ＩＣチップ９５に記憶された鍵９３のデータを読み取るようにしてもよい。
【００９９】
上記実施形態では、保管庫用ユニット５２Ｃ，５２Ｄに被保管物の入出庫を制限するソレノイド１０５と係止レバー１０６を設けたが、他の保管庫用ユニットにも被保管物の入出庫を制限する入出庫制限機構を設け、使用権限のない者が被保管物を保管庫から持ち出すことを防止してセキュリティ性を高めてもよい。入出庫制限機構としては、例えば、図１０に示す箱体７１の開口部にプランジャを突出又は退避するようにソレノイドを取り付け、使用権限のあるＣＤ−ＲＯＭについてソレノイドのプランジャを退避させてＣＤ−ＲＯＭを取り出せるようにする。
【図面の簡単な説明】
【０１００】
【図１】本発明の第１実施形態において、保管庫用ユニットを取り付けられた保管庫を示す外観斜視図である。
【図２】同じく、保管庫用ユニットの取付構造を示す図である。
【図３】同じく、保管庫用ユニットの外観斜視図である。
【図４】同じく、図３のＡ部拡大断面図である。
【図５】同じく、保管庫用ユニットの検出構造を示す図である。
【図６】同じく、ファイルを検出するために保管庫に設けられる電気回路を示す概念図である。
【図７】本発明の第２実施形態において、保管庫用ユニットを取り付けられた保管庫を示す外観斜視図である。
【図８】同じく、第１保管庫用ユニットを示す図である。
【図９】同じく、第２保管庫用ユニットを示す図である。
【図１０】同じく、図９に示すＣＤ−ＲＯＭ（又はＭＯ）の収納構造を示す図である。
【図１１】同じく、第３保管庫用ユニットを示す図である。
【図１２】同じく、図１１に示す鍵の収納構造を示す図である。
【図１３】同じく、図１２に示す鍵の収納構造を上方から見た図である。
【図１４】同じく、第４保管庫用ユニットを示す図である。
【図１５】本発明の第３実施形態に係る保管庫用ユニットを取り付けられた保管庫を示す図である。
【図１６】同じく、図１５に示す保管庫用ユニットの取付構造を示す図である。
【図１７】本発明の保管庫用ユニットの変形例である。
【符号の説明】
【０１０１】
１，５１，１２１  保管庫
３  扉
４  操作パネル（ＩＤ認証手段）
５  電子錠（保管庫開閉手段）
１０，５２，１２２  保管庫用ユニット
１１  接触電極（ＩＣチップデータ読取り手段）
１５  書類ファイル（被保管物）
１６，６６，７７，９５，１１６  接触式ＩＣチップ
１８  ＩＣ側プラス電極端子（端子、ＩＣチップ擦れ手段）
１９  ＩＣ側マイナス電極端子（端子、ＩＣチップ擦れ手段）
７０，８８，１０７，１１６  中継装置（被保管物記憶手段、送信手段）
７５  ＣＤ−ＲＯＭ（被保管物）
８１  第１電極（端子、ＩＣチップ擦れ手段）
８２  第２電極（端子、ＩＣチップ擦れ手段）
８３  第１付勢部材（付勢手段）
８４  第２付勢部材（付勢手段）
９３  鍵（被保管物）
９４  ホルダ（鍵ホルダ）
９９  ＵＳＢ（被保管物）
１０１  第１電極（端子、ＩＣチップ擦れ手段）
１０２  第２電極（端子、ＩＣチップ擦れ手段）
１１３  ノートＰＣ（被保管物）
１２３  ボルト（固定手段）
１２５  保持部材（固定手段）
【図１】
2008013332.tif 000003
【図２】
2008013332.tif 000004
【図３】
2008013332.tif 000005
【図４】
2008013332.tif 000006
【図５】
2008013332.tif 000007
【図６】
2008013332.tif 000008
【図７】
2008013332.tif 000009
【図８】
2008013332.tif 000010
【図９】
2008013332.tif 000011
【図１０】
2008013332.tif 000012
【図１１】
2008013332.tif 000013
【図１２】
2008013332.tif 000014
【図１３】
2008013332.tif 000015
【図１４】
2008013332.tif 000016
【図１５】
2008013332.tif 000017
【図１６】
2008013332.tif 000018
【図１７】
2008013332.tif 000019
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
被保管物を収納するものであって、操作者のＩＤを認証して扉の開閉許可を判断するＩＤ認証手段と、該ＩＤ認証手段の許可を受けて、保管庫の扉を開放状態とする保管庫開閉手段とを備える保管庫に用いられる保管庫用ユニットであって、
前記個々の被保管物に接触式ＩＣチップが取り付けられ、
前記接触式ＩＣチップに設けられた２つの端子と接触することにより、接触式ＩＣチップのデータを読み込むＩＣチップデータ読取り手段を有することを特徴とする保管庫用ユニット。
【請求項２】
請求項１に記載する保管庫用ユニットにおいて、
前記ＩＣチップデータ読取り手段の出力を受けて、被保管物の保管状況を記憶する被保管物記憶手段と、
前記被保管物記憶手段の記憶しているデータを、前記保管庫の制御装置に送信するための通信手段とを有することを特徴とする保管庫用ユニット。
【請求項３】
請求項１又は請求項２に記載する保管庫用ユニットにおいて、
ベース板の大きさが、前記保管庫の棚の面積とほぼ同じであり、
前記ベース板を前記保管庫の棚に固定する固定手段を有することを特徴とする保管庫用ユニット。
【請求項４】
請求項１乃至請求項３に記載する保管庫用ユニットのいずれか１つにおいて、
前記被保管物が、書類ファイル、鍵ホルダー、ＣＤ、ＭＯ、ＰＣ、鍵、ＵＳＢのいずれか１つであることを特徴とする保管庫用ユニット。
【請求項５】
請求項１乃至請求項４に記載する保管庫用ユニットのいずれか１つにおいて、
前記被保管物を前記保管庫用ユニットに収納するとき、前記接触式ＩＣチップに設けられた２つ端子を前記ＩＣチップデータ読取り手段に向かって付勢する付勢手段を有することを特徴とする保管庫用ユニット。
【請求項６】
請求項１乃至請求項４に記載する保管庫用ユニットのいずれか１つにおいて、
前記被保管物を前記保管庫用ユニットに収納するとき、前記接触式ＩＣチップを前記ＩＣチップデータ読取り手段の電極に擦れさせるＩＣチップ擦れ手段を有することを特徴とする保管庫用ユニット。
【手続補正２】
【補正対象書類名】明細書
【補正対象項目名】０００６
【補正方法】変更
【補正の内容】
【０００６】
上記目的を達成するために、本発明に係る保管庫用ユニットは以下の構成を有する。
（１）被保管物を収納するものであって、操作者のＩＤを認証して扉の開閉許可を判断するＩＤ認証手段と、該ＩＤ認証手段の許可を受けて、保管庫の扉を開放状態とする保管庫開閉手段とを備える保管庫に用いられる保管庫用ユニットであって、前記個々の被保管物に接触式ＩＣチップが取り付けられ、前記接触式ＩＣチップに設けられた２つの端子と接触することにより、接触式ＩＣチップのデータを読み込むＩＣチップデータ読取り手段を有することを特徴とする。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
被保管物を収納するものであって、操作者のＩＤを認証して扉の開閉許可を判断するＩＤ認証手段と、該ＩＤ認証手段の許可を受けて、保管庫の扉を開放状態とする保管庫開閉手段とを備える保管庫において、
前記保管庫に着脱可能に取り付けた複数の保管庫用ユニットに、前記被保管物を収納し、
前記被保管物の各々に取りつけられる接触式ＩＣチップと、
前記保管庫用ユニットに取り付けたユニット用接触式ＩＣチップと、
前記保管庫用ユニットに取り付けられ、前記接触式ＩＣチップのデータを読み取るユニット用データ読み取り手段と、
前記保管庫に取り付けられ、前記ユニット用接触式ＩＣチップのデータを読み取る保管庫用データ読み取り手段と、
前記保管庫用データ読み取り手段と前記ユニット用データ読み取り手段が読み取ったデータを入力して、前記保管庫用ユニットと前記被保管物を管理する制御装置と、
を有することを特徴とする保管庫。
【請求項２】
請求項１に記載する保管庫において、
前記保管庫用ユニットは、ベース板の大きさが、前記保管庫の棚の面積とほぼ同じであることを特徴とする保管庫。
【請求項３】
請求項１又は請求項２に記載する保管庫において、
前記被保管物が、書類ファイル、鍵ホルダー、ＣＤ、ＭＯ、ＰＣ、鍵、ＵＳＢのいずれか１つであることを特徴とする保管庫。
【請求項４】
請求項１乃至請求項３に記載する保管庫のいずれか１つにおいて、
前記被保管物を前記保管庫用ユニットに収納するとき、前記接触式ＩＣチップに設けられた２つ端子を前記ＩＣチップデータ読取り手段に向かって付勢する付勢手段を有することを特徴とする保管庫。
【請求項５】
請求項１乃至請求項３に記載する保管庫のいずれか１つにおいて、
前記被保管物を前記保管庫用ユニットに収納するとき、前記接触式ＩＣチップを前記ＩＣチップデータ読取り手段の電極に擦れさせるＩＣチップ擦れ手段を有することを特徴とする保管庫。
【手続補正２】
【補正対象書類名】明細書
【補正対象項目名】全文
【補正方法】変更
【補正の内容】
【発明の詳細な説明】
【技術分野】
【０００１】
本発明は、被保管物を収納する保管庫に関する。
【背景技術】
【０００２】
例えば、被保管物を収納する保管庫は、扉に認証装置が取り付けられ、本人認証できたときに開閉扉の電子錠を開錠し、被保管物を取り出せるようにする。これにより、使用権限のない利用者が被保管物を保管庫から取り出すことができず、被保管物のセキュリティを確保する（例えば、特許文献１参照）。
【０００３】
【特許文献１】特開２００２−２５５３１３号公報
【発明の開示】
【発明が解決しようとする課題】
【０００４】
しかしながら、被保管物のセキュリティを確保するためには、保管庫にどのような被保管物が収納されているのかを保管庫側に認識させておく必要があるところ、保管庫のどこに何を入れるのかは利用者が決定する事項である。そのため、保管庫に収納する被保管物をコンピュータ管理しようとする場合には、利用者が被保管物の収納位置を決めてコンピュータに登録しなければならず、手間がかかっていた。
【０００５】
そこで、本発明は、上記問題点を解決するためになされたものであり、被保管物管理を容易にする保管庫を提供することを目的とする。
【課題を解決するための手段】
【０００６】
上記目的を達成するために、本発明に係る保管庫は以下の構成を有する。
（１）被保管物を収納するものであって、操作者のＩＤを認証して扉の開閉許可を判断するＩＤ認証手段と、該ＩＤ認証手段の許可を受けて、保管庫の扉を開放状態とする保管庫開閉手段とを備える保管庫において、前記保管庫に着脱可能に取り付けた複数の保管庫用ユニットに、前記被保管物を収納し、前記被保管物の各々に取り付けた接触式ＩＣチップと、前記保管庫用ユニットに取り付けたユニット用接触式ＩＣチップと、前記保管庫用ユニットに取り付けられ、前記接触式ＩＣチップのデータを読み取るユニット用データ読み取り手段と、前記保管庫に取り付けられ、前記ユニット用接触式ＩＣチップのデータを読み取る保管庫用データ読み取り手段と、前記保管庫用データ読み取り手段と前記ユニット用データ読み取り手段が読み取ったデータを入力して、前記保管庫用ユニットと前記被保管物を管理する制御装置と、を有することを特徴とする。
【０００７】
【０００８】
（２）（１）に記載の発明において、前記保管庫用ユニットは、ベース板の大きさが、前記保管庫の棚の面積とほぼ同じであり、前記ベース板を前記保管庫の棚に固定する固定手段を有することを特徴とする。
【０００９】
（３）（１）又は（２）に記載の発明において、前記被保管物が、書類ファイル、鍵ホルダー、ＣＤ、ＭＯ、ＰＣ、鍵、ＵＳＢのいずれか１つであることを特徴とする。
【００１０】
（４）（１）乃至（３）に記載する発明のいずれか１つにおいて、前記被保管物を前記保管庫用ユニットに収納するとき、前記接触式ＩＣチップに設けられた２つ端子を前記ＩＣチップデータ読取り手段に向かって付勢する付勢手段を有することを特徴とする。
【００１１】
（５）（１）乃至（３）に記載する発明のいずれか１つにおいて、前記被保管物を前記保管庫用ユニットに収納するとき、前記接触式ＩＣチップを前記ＩＣチップデータ読取り手段の電極に擦れさせるＩＣチップ擦れ手段を有することを特徴とする。
【発明の効果】
【００１２】
上記構成を有する本発明の保管庫は、保管庫用データ読み取り手段がユニット用接触式ＩＣチップと、ユニット用データ読み取り手段とを介して、被保管物に取り付けられた接触式ＩＣチップのデータを読み取るので、保管庫用ユニットに収納される被保管物を利用者が入力しなくても、接触式ＩＣチップのデータに基づいて自動入力することが可能である。よって、本発明の保管庫用ユニットによれば、被保管物管理を容易にすることができる。
【００１３】
【００１４】
また、本発明の保管庫は、ベース板の大きさが、保管庫の棚とほぼ同じであり、固定手段を用いてベース板を保管庫の棚に固定するので、固定手段を外さなければ保管庫用ユニットを保管庫から持ち出すことができず、保管庫用ユニットに収納される被保管物のセキュリティを確保できる。
【００１５】
また、本発明の保管庫は、書類ファイル、鍵ホルダー、ＣＤ、ＭＯ、ＰＣ、鍵、ＵＳＢの何れか１つを被保管物にするので、保管庫用ユニットを交換するだけで、保管庫に収納する被保管物の種類を簡単に変更できる。
【００１６】
また、本発明の保管庫は、被保管物を保管庫用ユニットに収納するときに、接触式ＩＣチップに設けられた２つの端子をＩＣチップデータ読取り手段に向かって付勢し、接触式ＩＣチップに設けられた２つの端子をＩＣチップデータ読取り手段に接触させるようにしたので、接触式ＩＣチップに記憶されるデータの読み取り不良を防止することができる。
【００１７】
また、本発明の保管庫は、被保管物を保管庫用ユニットに収納するとき、接触式ＩＣチップをＩＣチップデータ読取り手段の電極に擦れさせるので、接触式ＩＣチップに記憶されるデータの読み取り不良を防止することができる。
【発明を実施するための最良の形態】
【００１８】
次に、本発明に係る保管庫の一実施の形態について図面を参照して説明する。
【００１９】
（第１実施形態）
＜保管庫の概略構成＞
図１は、第１実施形態に係る保管庫用ユニット１０Ａを取り付けられた保管庫１を示す外観斜視図である。
保管庫１には、一方に開口する筐体２に一対の扉３が回動可能に保持されている。扉３には、「ＩＤ認証手段」の一例である操作パネル４が取り付けられている。操作パネル４は、ＩＣカード（図示せず）と交信してＩＤ認証を行うものである。筐体２には、「保管庫開閉手段」の一例である電子錠５が取り付けられ、扉３の開閉状態が制御される。但し、停電などの非常時には電子錠５を制御できないため、扉３には非常開錠鍵６が設けられている。筐体２と扉３は、耐火性や耐震性などを確保するために金属で形成されている。
【００２０】
図２は、図１に示す保管庫１の扉３を開いた状態を示す。
保管庫１は、複数の棚７が筐体２に対して水平に固定され、筐体２の内部空間を仕切っている。筐体２の天板には、制御装置８がネジなどで固定されている。制御装置８の配線は、筐体２に設けられた取出孔２ａから外部に引き出され、図示しないＬＡＮなどを介して図示しないサーバに接続される。このような保管庫１は、棚７の間に保管庫用ユニット１０が固定されている。
【００２１】
図３は、保管庫用ユニット１０の外観斜視図である。
保管庫用ユニット１０は、ベース板１０ｂに背板１０ａが垂直に固定され、ベース板１０ｂに仕切板１０ｃが位置調節可能に設けられている。背板１０ａには、「ＩＣチップデータ読取り手段」の一例である接触電極１１が固定されている。接触電極１１は、水平方向に長く敷設され、複数の書類ファイル１５に設けられた接触式ＩＣチップ１６が接触するようになっている。
【００２２】
書類ファイル１５は、取付シート２４が貼り付けられている。取付シート２４には、接触式ＩＣチップ１６と被保管物用接触電極１７とが接着剤などで固定され、既存の書類ファイル１５に接触式ＩＣチップ１６を後付けできるようにされている。接触式ＩＣチップ１６は、取付先となる書類ファイル１５に関するデータを記憶しており、ＩＣ側プラス電極端子１８とＩＣ側マイナス電極端子１９に接続線２１を介して接続されている。また、接続線２１は、書類ファイル１５の背表紙に接着剤などで固定されたＬＥＤ２２にも接続している。尚、本実施形態では、ＩＣ側プラス電極端子１８とＩＣ側マイナス電極端子１９とが、特許請求の範囲に記載する「接触式ＩＣチップに設けられた２つの端子」を構成する。
【００２３】
保管庫用ユニット１０にも、保管庫用ユニット１０のデータを記憶するユニット用接触式ＩＣチップ３１が取り付けられている。ユニット用接触式ＩＣチップ３１は、接続線３２を介してユニット用接触電極３３とＬＥＤ３７に接続するとともに、接触電極１１にも接続している。
【００２４】
図４は、図３のＡ部拡大断面図である。
接触電極１１は、背板１０ａから突き出している。接触電極１１は、絶縁部１２を挟んでプラス電極端子１３とマイナス電極端子１４を設けたサンドイッチ構造をなす。プラス電極端子１３の先端部とマイナス電極端子１４の先端部は、肉厚にされ、断面が外向きに張り出す半円状をなすストッパ１３ａ、１４ａが設けられている。
【００２５】
被保管物用接触電極１７は、ＩＣ側プラス電極端子１８とＩＣ側マイナス電極端子１９との間に絶縁部２０を挟んだサンドイッチ構造をなす。ＩＣ側プラス電極端子１８とＩＣ側マイナス電極端子１９は、端部を折り曲げられ、互いに近接する方向に向かってバネ性がもたせられている。以下の説明では、ＩＣ側プラス電極端子１８とＩＣ側マイナス電極端子１９が最も近接し、接触電極１１に接触する部位を第１接点１８ａと第２接点１９ａという。ＩＣ側プラス電極端子１８とＩＣ側マイナス電極端子１９が弾性変形していない復帰状態では、第１接点１８ａと第２接点１９ａは接触電極１１の厚さより小さい隙間を空け、不意な電流を接触式ＩＣチップ１６に流さないようにしている。ＩＣ側プラス電極端子１８とＩＣ側マイナス電極端子１９は、第１接点１８ａと第２接点１９ａより先端部を外向きに折り曲げられ、ガイド部１８ｂとガイド部１９ｂがそれぞれ設けられており、接触電極１１を第１接点１８ａと第２接点１９ａとの間に挿入しやすくしている。
【００２６】
図５は、保管庫用ユニット１０の検出構造を示す図である。
保管庫１の内側面には、保管庫用接触電極４１が突設されている。保管庫用接触電極４
１は、絶縁部４２の両側に保管庫用プラス電極端子４３と保管庫用マイナス電極端子４４を設けたサンドイッチ構造をなす。保管庫用プラス電極端子４３と保管庫用マイナス電極端子４４は、先端部が肉厚にされ、断面半円形状のストッパ部４３ａ、４４ａがそれぞれ設けられている。保管庫用プラス電極端子４３と保管庫用マイナス電極端子４４は、保管庫１の制御装置８に接続されている。
【００２７】
一方、ユニット用接触電極３３も、ユニット用プラス電極端子３４とユニット用マイナス電極端子３５との間に絶縁部３６を設けたサンドイッチ構造をなす。ユニット用プラス電極端子３４とユニット用マイナス電極端子３５は、端部を折り曲げられ、互いに近接する方向に向かってバネ性がもたせられている。以下の説明では、ユニット用プラス電極端子３４とユニット用マイナス電極端子３５が最も近接し、保管庫用接触電極４１に接触する部位を第３接点３４ａと第４接点３５ａという。ユニット用プラス電極端子３４とユニット用マイナス電極端子３５が弾性変形していない復帰状態では、第３接点３４ａと第４接点３５ａは保管庫用接触電極４１の厚さより小さい隙間を空け、不意な電流をユニット用接触式ＩＣチップ３１に流さないようにしている。ユニット用プラス電極端子３４とユニット用マイナス電極端子３５は、第３接点３４ａと第４接点３５ａより先端部を外向きに折り曲げられ、ガイド部３４ｂとガイド部３５ｂがそれぞれ設けられており、接触電極４１を第３接点３４ａと第４接点３５ａとの間に挿入しやすくしている。
【００２８】
図６は、書類ファイル１５を検出するために保管庫１に設けられる電気回路を示す概念図である。
保管庫１の制御装置８には、保管庫用プラス電極端子４３と保管庫用マイナス電極端子４４とが接続している。保管庫用プラス電極端子４３には、保管庫用ユニット１０のユニット用プラス電極端子３４が接続し、保管庫用プラス電極端子４３からユニット用プラス電極端子３４へ電流供給可能にされる。
【００２９】
ユニット用プラス電極端子３４は、ＬＥＤ３７と抵抗３８を介してユニット用マイナス電極端子３５に接続されている。また、ユニット用プラス電極端子３４とユニット用マイナス電極端子３５との間には、ＬＥＤ３７と並列にユニット用接触式ＩＣチップ３１が設けられている。マイナス電極端子３５は、保管庫１に設けた保管庫用マイナス電極端子４４に接続され、ユニット用接触式ＩＣチップ３１のデータを保管庫用マイナス電極端子４４へ出力するようになっている。
【００３０】
また、保管庫用ユニット１０は、ユニット用マイナス電極端子３５と並列にプラス電極端子１３が設けられている。プラス電極端子１３は、書類ファイル１５に設けられた接触式ＩＣチップ１６などを介してマイナス電極端子１４に接続される。
【００３１】
書類ファイル１５のＩＣ側プラス電極端子１８は、ＬＥＤ２２と抵抗２３を介してＩＣ側マイナス電極端子１９に接続されている。ＩＣ側プラス電極端子１８とＩＣ側マイナス電極端子１９との間には、接触式ＩＣチップ１６がＬＥＤ２２と並列に設けられている。ＩＣ側マイナス電極端子１９は、保管庫用ユニット１０のマイナス電極端子１４に接続され、接触式ＩＣチップ１６のデータをマイナス電極端子１４に出力するようになっている。
【００３２】
マイナス電極端子１４に入力されたデータは、ユニット用マイナス電極端子３５から保管庫用マイナス電極端子４４を介して制御装置８へ出力される。
【００３３】
＜保管庫用ユニットの取付＞
保管庫１に設けられた棚７の間に保管庫用ユニット１０を挿入する。ユニット用接触電極３３のユニット用プラス電極端子３４とユニット用マイナス電極端子３５とが、保管庫
用接触電極４１の保管庫用プラス電極端子４３と保管庫用マイナス電極端子４４とに接触すると、制御装置８から保管庫用接触電極４１に供給された電流が、保管庫用プラス電極端子４３からユニット用プラス電極端子３４、ユニット用接触式ＩＣチップ３１、ユニット用マイナス電極端子３５を介して保管庫用マイナス電極端子４４へ流れる。この電流によってユニット用接触式ＩＣチップ３１が駆動する。ユニット用プラス電極端子３４に供給された電流は、ＬＥＤ３７にも流れ、ＬＥＤ３７を点灯させる。従って、利用者は、ＬＥＤ３７の発光を見て、ユニット用接触式ＩＣチップ３１を保管庫用接触電極４１に適切に接触させるように保管庫用ユニット１０を保管庫１に挿入したことを確認する。この状態で、保管庫用ユニット１０を保管庫１にボルトなどで固定する。
【００３４】
尚このとき、制御装置８は、保管庫用ユニット１０にレイアウト問い合わせ信号を出力し、保管庫用ユニット１０に関するデータを各保管庫用ユニット１０に取り付けられたユニット用接触式ＩＣチップ３１から保管庫用接触電極４１を介して取得する。制御装置８は、入力したデータを記憶し、必要に応じて上位装置へ転送する。これにより、制御装置及び上位装置が保管庫１のレイアウトを把握し、利用者が保管庫１のレイアウトを入力する手間がかからない。
【００３５】
＜書類ファイルの収納＞
上記のようにして保管庫１に保管庫用ユニット１０を固定したら、書類ファイル１５を保管庫用ユニット１０に挿入していく。書類ファイル１５に設けられた被保管物用接触電極１７のＩＣ側プラス電極端子１８とＩＣ側マイナス電極端子１９が、保管庫用ユニット１０に設けられた接触電極１１のプラス電極端子１３とマイナス電極端子１４とに接触すると、ユニット用プラス電極端子３４に供給された電流が、プラス電極端子１３から書類ファイル１５のＩＣ側プラス電極端子１８、接触式ＩＣチップ１６、ＩＣ側マイナス電極端子１９を介して接触電極１１のマイナス電極端子１４へ流れる。この電流によって接触式ＩＣチップ１６が駆動する。ＩＣ側プラス電極端子１８に供給された電流は、ＬＥＤ２２にも流れ、ＬＥＤ２２を点灯させる。従って、利用者は、ＬＥＤ２２の発光を見て、接触式ＩＣチップ１６を接触電極１１に適切に接触させるように書類ファイル１５を保管庫用ユニット１０に挿入したことを確認する。
【００３６】
利用者は、このようにＬＥＤ２２の発光を確認しながら、書類ファイル１５を保管庫１に収納していく。書類ファイル１５の収納が完了したら、扉３を閉じる。制御装置８は、扉３の閉状態を確認すると電子錠５を駆動し、扉３を施錠する。
【００３７】
扉３の施錠をトリガとして、制御装置８は、書類ファイル１５の有無を検出するためのファイル問い合わせ信号を保管庫用ユニット１０に出力する。ファイル問い合わせ信号は、保管庫用ユニット１０の保管庫側接触電極４１、ユニット用接触電極３３、接触電極１１へと出力される。
【００３８】
保管庫用ユニット１０に収納されている書類ファイル１５は、接触電極１１にＩＣ側プラス電極端子１８とＩＣ側マイナス電極端子１９とを接触させているため、接触式ＩＣチップ１６が駆動して、ファイル問い合わせ信号に対する応答信号を接触電極１１へ出力する。応答信号は、接触電極１１からユニット用接触電極３３、保管庫用接触電極４１を介して制御装置８に入力される。制御装置８は、入力した応答信号を解析し、保管庫用ユニット１０に収納されている書類ファイル１５を認識する。
【００３９】
＜書類ファイルの貸出＞
利用者が書類ファイル１５を借りる場合には、先ず、非接触式ＩＣカード（図示せず）を操作パネル５にかざす。すると、操作パネル５が非接触式ＩＣカード（図示せず）と交信して識別番号を取得し、本人認証を行う。制御装置８は、識別番号が正当であると判断
したときには、電子錠５を駆動して扉３を開錠する。このとき、制御装置８は、操作パネル４に設けた表示部に暗証番号の入力画面を表示し、暗証番号の一致を確認してから電子錠５を開錠するようにしてもよい。
【００４０】
電子錠５が開錠したら、利用者は扉３を開き、所望の書類ファイル１５を取り出す。
【００４１】
書類ファイル１５の取り出しに伴って、書類ファイル１５に設けられたＩＣ側プラス電極端子１８とＩＣ側マイナス電極端子１９が、保管庫用ユニット１０に設けられたプラス電極端子１３とマイナス電極端子１４に接触しなくなり、接触電極１１が、取り出された書類ファイル１５の接触式ＩＣチップ１６からデータを読み取れなくなる。
【００４２】
そのため、利用者が扉３を閉じて施錠した後に、制御装置８がファイル問い合わせ信号を接触電極１１に出力しても、取り出された書類ファイル１５の接触式ＩＣチップ１６から応答信号を入力できない。制御装置８は、扉３の開閉前後のデータを比較して検出できたくなったデータを特定し、特定したデータに対応する書類ファイル１５が貸し出されたことを認識する。
【００４３】
＜書類ファイルの返却＞
一方、利用者が借りた書類ファイル１５を返却する場合には、書類ファイル１５の貸出時と同様に、非接触式ＩＣカード（図示せず）を操作パネル４にかざして本人認証を行い、開錠された扉３を開く。そして、借りていた書類ファイル１５を保管庫用ユニット１０に挿入する。このとき、利用者は、ＬＥＤ２２が点灯するように書類ファイル１５を保管庫用ユニット１０に挿入し、書類ファイル１５のＩＣ側プラス電極端子１８とＩＣ側マイナス電極端子１９とを、保管庫用ユニット１０に設けられたプラス電極端子１３とマイナス電極端子１４とに接触させる。
【００４４】
その後、利用者が扉３を閉じて施錠すると、制御装置８がファイル問い合わせ信号を接触電極１１に出力する。返却された書類ファイル１５の接触式ＩＣチップ１６は、ＩＣ側プラス電極端子１８とＩＣ側マイナス電極端子１９が保管庫用ユニット１０のプラス電極端子１３とマイナス電極端子１４に接触し、データを読み取られる。そのため、ファイル問い合わせ信号を受信した接触式ＩＣチップ１６は、応答信号を接触電極１１へ出力する。その応答信号は、接触電極１１からユニット用接触電極３３、保管庫用接触電極４１を経由して制御装置８に入力される。制御装置８は、扉３の開閉前後のデータを比較して増加したデータを特定し、特定したデータに対応する書類ファイル１５が返却されたことを認識する。
【００４５】
＜作用効果＞
上記構成を有する本実施形態の保管庫用ユニット１０は、接触電極１１が書類ファイル１５に取り付けられた接触式ＩＣチップ１６のデータを読み取り、その読み取り結果をユニット用接触電極３３から保管庫用接触電極４１を経由して保管庫１の制御装置８に送信するので、書類ファイル１５の種別や保管位置などを保管庫１の制御装置８に認識させる。そのため、保管庫用ユニット１０に収納される被保管物を利用者が入力しなくても、接触式ＩＣチップ１６のデータに基づいて保管庫１の制御装置８に自動入力することが可能である。よって、本実施形態の保管庫用ユニット１０によれば、ファイル管理（被保管物管理）を容易にすることができる。
【００４６】
また、本実施形態の保管庫用ユニット１０は、ベース板１０ｂの大きさが、保管庫１の棚７とほぼ同じであり、ねじなどの固定手段を用いてベース板１０ｂを保管庫１の棚７に固定するので、固定手段を外さなければ保管庫用ユニット１０を保管庫１から持ち出すことができず、保管庫用ユニット１０に収納される書類ファイル１５のセキュリティを確保
できる。
【００４７】
また、本実施形態の保管庫用ユニット１０は、書類ファイル１５を保管庫用ユニット１０に収納するときに、第１接点１８ａと第２接点１９ａの間隔が接触電極１１の幅より狭いため、ＩＣ側プラス電極端子１８とＩＣ側マイナス電極端子１９が弾性変形した状態で第１接点１８ａと第２接点１９ａを接触電極１１のプラス電極１３とマイナス電極１４に接触させる。そのため、ＩＣ側プラス電極端子１８とＩＣ側マイナス電極端子１９は、自身の弾性力を用いて第１接点１８ａと第２接点１９ａを接触電極１１に擦り合わせて接触させる。この意味で、ＩＣ側プラス電極端子１８とＩＣ側マイナス電極端子１９は、「ＩＣチップ擦れ手段」に相当する。よって、本実施形態の保管庫用ユニット１０は、接触式ＩＣチップ１６に記憶されるデータの読み取り不良を防止することができる。
【００４８】
（第２実施形態）
続いて、本発明の保管庫に係る第２実施形態について図面を参照して説明する。図７は、保管庫用ユニット５２を取り付けられた保管庫５１を示す外観斜視図である。
本実施形態の保管庫用ユニット５２は、被保管物が異なる保管庫用ユニット５２Ａ，５２Ｂ，５２Ｃ，５２Ｄを組み合わせて取り付けられる点で第１実施形態と相違する。よって、ここでは第１実施形態と相違する点を中心に説明し、第１実施形態と共通する点は第１実施形態と同一符号を図面や説明に用い、説明を適宜省略することにする。
【００４９】
保管庫５１は、棚７の間に被保管物の異なる保管庫用ユニット５２Ａ，５２Ｂ，５２Ｃ，５２Ｄを取り付けている。第１保管庫用ユニット５２Ａは、書類ファイル１５を収納するためのものである。第２保管庫用ユニット５２Ｂは、ＣＤ７５又はＭＤを収納するためのものである。第３保管庫用ユニット５２Ｃは、鍵９３又はＵＳＢ９９を収納するためのものである。第４保管庫用ユニット５２Ｄは、パーソナルコンピュータ（以下「ＰＣ」という。）１１３を収納するためのものである。第１〜第４保管庫用ユニット５２Ａ，５２Ｂ，５２Ｃ，５２Ｄは、被保管物の検出方法が各々異なるので、各ユニット構造を以下に説明する。
【００５０】
＜第１保管庫用ユニットの構成＞
第１保管庫用ユニット５２Ａは、棚７と略同一面積に形成されたベース板６１に複数の仕切板６２を着脱自在に取り付けたものである。ベース板６１には、複数のＩＣチップデータ読取部６３が横一列に並んで設けられている。ＩＣチップデータ読取部６３は、第１読取部６４と第２読取部６５を書類ファイル１５の収納方向に並べて配置している。収納方向に２つ並べて配置するのは、データの読み取り順序によって書類ファイル１５の入庫と出庫を判別するためである。
【００５１】
一方、書類ファイル１５には、接触式ＩＣチップ６６がカバーに接着剤などで固定されている。接触式ＩＣチップ６６に設けられた第１端子６７と第２端子６８は、ベース板６１の第１読取部６４と第２読取部６５に接触するように書類ファイル１５のカバー下端部に設けられている。書類ファイル１５には、第１接点６７と第２接点６８に流れる電流を利用して点灯するＬＥＤ６９が書類ファイル１５の背表紙に取り付けられている。
【００５２】
かかる第１保管庫用ユニット５２Ａは、第１読取部６４と第２読取部６５を保管庫５１の制御装置８に接続するための中継装置７０を備える。中継装置７０は、周知のコンピュータ機能を有するものであり、第１読取部６４と第２読取部６５が読み取ったデータを記憶するメモリや、メモリに記憶したデータを保管庫５１の制御装置８に送信する送信部を備える。
【００５３】
本実施形態では、第１読取部６４と第２読取部６５が「ＩＣチップデータ読取り手段」
に相当し、第１接点６７と第２接点６８が「接触式ＩＣチップに設けられた２つの端子」に相当する。また、中継装置７０のメモリが「被保管物記憶手段」に相当し、中継装置７０の送信部が「送信手段」に相当する。
【００５４】
＜第２保管庫用ユニットの構成＞
図９は、第２保管庫用ユニット５２Ｂを示す図である。
第２保管庫用ユニット５２Ｂは、一方に開口する箱体７１が隔壁７２によって上下２段に仕切られ、上下段にそれぞれＣＤ−ＲＯＭ又はＭＯを６０枚ずつ収納できるようにされている。本実施形態では、第２保管庫用ユニット５２Ｂはケース７６に入ったＣＤ−ＲＯＭ７５を収納するものとする。尚、以下の説明では、ケースを含めてＣＤ−ＲＯＭ７５というものとする。箱体７１は、底面が棚７とほぼ同じ大きさにされ、棚７の間にほとんど隙間無く入り込む大きさにされている。箱体７１にも仕切板７４が着脱自在に設けられている。
【００５５】
図１０は、図９に示すＣＤ−ＲＯＭ７５の収納構造を示す図である。
ＣＤ−ＲＯＭ７５は、ケース７６に接触式ＩＣチップ７７が取り付けられている。接触式ＩＣチップ７７は、第１端子７８と第２端子７９がケース７６の下端面から露出している。
【００５６】
保管庫用ユニット５２Ｂの箱体７１には、第１端子７８と第２端子７９に接触する第１電極８１と第２電極８２が設けられている。第１電極８１と第２電極８２は、金属板を折り曲げたものである。第１電極８１と第２電極８２は、折り曲げた頂部がＣＤ−ＲＯＭ７５の収納経路上に突き出すように箱体７１に保持され、その突き出した頂部をＣＤ−ＲＯＭ７５に押圧されることにより変形してＣＤ−ＲＯＭ７５の進路を広げるように構成されている。変形した第１電極８１と第２電極８２は、弾性力を発生し、頂部を第１端子７８と第２端子７９に押しつける。この意味で、第１電極８１と第２電極８２は、「ＩＣチップ擦れ手段」の役割も果たす。
【００５７】
第１電極８１と第２電極８２の真上には、「付勢手段」の一例である第１付勢部材８３と第２付勢部材８４が設けられ、第１端子７８と第２端子７９を第１電極８１と第２電極８２に向かって押しつけるようにＣＤ−ＲＯＭ７５を図中下向きに付勢している。
【００５８】
箱体７１の奥側には、リミットスイッチ８５がＣＤ−ＲＯＭ７５毎に設けられている。リミットスイッチ８５には、接続線８６を介してＬＥＤ８７が接続し、リミットスイッチ８５がオン状態のときにＬＥＤ８７が発光するようになっている。
【００５９】
かかる第２保管庫用ユニット５２Ｂは、第１電極８１と第２電極８２を保管庫５１の制御装置８に接続するための中継装置８８を備える。中継装置８８は、周知のコンピュータ機能を有するものであり、第１電極８１と第２電極８２が読み取ったデータを記憶するメモリや、メモリに記憶されるデータを保管庫５１の制御装置８に送信する送信部などを備える。
【００６０】
本実施形態では、第１電極８１と第２電極８２が「ＩＣチップデータ読取り手段」に相当し、第１端子７８と第２端子７９が「接触式ＩＣチップに設けられた２つの端子」に相当する。また、中継装置８８のメモリが「被保管物記憶手段」に相当し、中継装置８８の送信部が「送信手段」に相当する。
【００６１】
＜第３保管庫用ユニットの構成＞
図１１は、第３保管庫用ユニット５２Ｃを示す図である。
第３保管庫用ユニット５２Ｃは、箱状の本体９１に複数（本実施形態では６０個）の収
納凹部９２が設けられている。収納凹部９２は、ＵＳＢ９９のホルダ９４又は鍵９３のホルダ９４を収納するように設けられている。尚、本実施形態では、鍵９３とホルダ９４、及び、ＵＳＢ９９とホルダ９４により特許請求の範囲の「被保管物」を構成するが、以下では説明の便宜上、被保管物としての鍵９３又はＵＳＢ９９というときにはホルダ９４をそれぞれ含むものとする。
【００６２】
図１２は、図１１に示す鍵９３の収納構造を示す図である。
ホルダ９４は、樹脂成形品であって、対向する側面にガイド溝９４ａ，９４ｂが設けられている。ガイド溝９４ｂには、接触式ＩＣチップ９５が埋設されている。そして、ガイド溝９４ａ，９４ｂには、接触式ＩＣチップ９５に接続する第１接点９６と第２接点９７が露出して設けられている。ガイド溝９４ａ，９４ｂには、クリーンテープ９８が各々貼り付けられ、第１接点９６と第２接点９７に接触する第１電極１０１と第２電極１０２に付着した酸化膜等の汚れを擦り取るようになっている。
【００６３】
図１３は、図１２に示す鍵９３の収納構造を上方から見た図である。
本体９１の収納凹部９２は、内側面に開口部が形成され、その開口部から第１電極１０１と第２電極１０２が露出している。第１電極１０１と第２電極１０２は、導電性を有する金属製板材を折り曲げて弾性を持たせたものであり、本体９１に変形可能に保持されている。第１電極１０１と第２電極１０２は、頂部を収納凹部９２に突き出し、頂部をホルダ９４に押圧されたときには収納凹部９２から退避するように変形し、頂部をホルダ９４に押圧されなくなると自身の弾性力によって頂部を収納凹部９２に突き出すように復元する。
【００６４】
図１２に示すように、収納凹部９２には、リミットスイッチ１０３が配設され、ホルダ９４によってスイッチをオン・オフされるようになっている。本体９１には、ＬＥＤ１０４が取り付けられ、リミットスイッチ１０３がオン状態にされているときに点灯するようになっている。また、本体９１には、ソレノイド１０５の駆動によって揺動する係止レバー１０６が内蔵され、ホルダ９４の係合凹部９４ｃに係止レバー１０６を係合させることにより鍵９３の入出庫を制限するようになっている。
【００６５】
かかる第３保管庫用ユニット５２Ｃは、第１電極１０１と第２電極１０２を保管庫５１の制御装置８に接続するための中継装置１０７を備える。中継装置１０７は、周知のコンピュータ機能を有するものであり、第１電極１０１と第２電極１０２が読み取ったデータを記憶するメモリや、メモリに記憶されたデータを保管庫５１の制御装置８へ送信する送信部などを備える。
【００６６】
本実施形態では、第１電極１０１と第２電極１０２が「ＩＣチップデータ読取り手段」に相当し、第１接点９６と第２接点９７が「接触式ＩＣチップに設けられた２つの端子」に相当する。また、中継装置１０７のメモリが「被保管物記憶手段」に相当し、中継装置１０７の送信部が「送信手段」に相当する。
【００６７】
＜第４保管庫用ユニットの構成＞
図１４は、第４保管庫用ユニット５２Ｄの外観斜視図である。
第４保管庫用ユニット５２Ｄは、金属製の箱体１１１に棚１１２を設け、ノート型パソコン（以下「ノートＰＣ」という。）１１３を収納するようになっている。ノート型パソコン１１３には、セキュリティワイヤ１１４を介してホルダ９４が取り付けられている。ホルダ９４の構造は上述したので説明を省略する。箱体１１１には、棚１１２の間に制御装置１１５，１１５が配設されている。制御装置１１５には、収納凹部９２が設けられている。収納凹部９２の構造は上述したので説明を省略する。
【００６８】
かかる第４保管庫用ユニット５２Ｄは、制御装置１１５に設けられた第１電極１０１と第２電極１０２を保管庫５１の制御装置８に接続するための中継装置１１６を備える。中継装置１１６は、周知のコンピュータ機能を有するものであり、制御装置１１５に設けられた第１電極１０１と第２電極１０２が読み取ったデータを記憶するメモリを備える。
【００６９】
本実施形態では、制御装置１１５の第１電極１０１と第２電極１０２が「ＩＣチップデータ読取り手段」に相当し、ホルダ９４の第１接点９６と第２接点９７が「接触式ＩＣチップに設けられた２つの端子」に相当する。また、中継装置１１６のメモリが「被保管物記憶手段」に相当し、中継装置１１６の送信部が「送信手段」に相当する。
【００７０】
＜保管庫用ユニットの取付＞
第１〜第４保管庫用ユニット５２Ａ〜５２Ｄは、各中継装置７０、８８、１０７、１１６を保管庫５１の制御装置８に通信線や電力線等で接続した状態で棚７の間に設置され、ボルトなどの固定部材を用いて保管庫５１に固定される。
【００７１】
第１〜第４保管庫用ユニット５２Ａ〜５２Ｄは、電力線を介して制御装置８から電流を供給されると、各接触式ＩＣチップ６６、７７、９５、９５のデータを読み取って中継装置７０、８８、１０７、１１６にそれぞれ記憶する。これにより、各保管庫用ユニット５２Ａ，５２Ｂ，５２Ｃ，５２Ｄは収納されている被保管物のデータを各々認識する。各中継装置７０，８８，１０７，１１６は制御装置８から通信線を介して問い合わせがあったときに、メモリに記憶した接触式ＩＣチップ６６，７７，９５，９５のデータをそれぞれ出力する。そのため、保管庫５１の制御装置８は、自動的に被保管物のデータを認識し得る。
【００７２】
尚、中継装置７０，８８，１０７，１１６のメモリに各保管庫用ユニット５２Ａ，５２Ｂ，５２Ｃ，５２Ｄに関するデータをそれぞれ記憶させておけば、制御装置８が中継装置７０，８８，１０７，１１６にレイアウト問い合わせ信号を送信し、中継装置７０，８８，１０７，１１６からの応答信号に基づいて保管庫５１のレイアウトを自動認識することが可能である。
【００７３】
＜書類ファイルの管理＞
書類ファイル１５を保管庫５１から借りるために、利用者が第１保管庫用ユニット５２Ａから書類ファイル１５を持ち出すと、書類ファイル１５の第１端子６７と第２端子６８が第１保管庫用ユニット５２Ａの第１読取部６４と第２読取部６５に接触しなくなり、第１読取部６４と第２読取部６５が接触式ＩＣチップ６６のデータを読み取れなくなる。この時点で、中継装置７０のメモリから取り出された書類ファイル１５に関するデータを削除する。そのため、制御装置８が中継装置７０に書類ファイル１５の問い合わせをしても、中継装置７０は取り出された書類ファイル１５のデータを制御装置８に出力できない。制御装置８は、取り出された書類ファイル１５のデータを検出できなくなったことにより、書類ファイル１５が保管庫５１から貸し出されたことを認識する。
【００７４】
このとき、取り出された書類ファイル１５の第１端子６７と第２端子６８との間に電流が流れなくなるため、ＬＥＤ６９が消灯し、第１端子６７と第２端子６８が第１読取部６４と第２読取部６５に接触しなくなったことを利用者に報知する。
【００７５】
書類ファイル１５を保管庫５１に返却するために書類ファイル１５を第１保管庫用ユニット５２Ａに挿入すると、第１読取部６４と第２読取部６５が書類ファイル１５の第１端子６７と第２端子６８に接触し、接触式ＩＣチップ６６のデータを読み取る。読み取ったデータは、中継装置７０に一時的に記憶され、中継装置７０が制御装置８からの問い合わせに応じて記憶したデータを制御装置８に送信する。制御装置８は、受信したデータを解
析し、保管庫５１に収納されている書類ファイル１５を認識する。
【００７６】
このとき、第１端子６７と第２端子６８との間を流れる電流を利用してＬＥＤ６９が点灯し、第１端子６７と第２端子６８が第１読取部６４と第２読取部６５に適切に接触したことを利用者に報知する。
【００７７】
＜ＣＤ−ＲＯＭの管理＞
ＣＤ−ＲＯＭ７５を保管庫５１から借りるためにＣＤ−ＲＯＭ７５を第２保管庫用ユニット５２Ｂから取り出すと、ＣＤ−ＲＯＭ７５の第１端子７８と第２端子７９が第２保管庫用ユニット５２Ｂの第１電極８１と第２電極８２に接触しなくなり、第１電極８１と第２電極８２が接触式ＩＣチップ７７のデータを読み取れなくなる。この時点で、中継装置８８は取り出されたＣＤ−ＲＯＭ７５に関するデータをメモリから削除する。そのため、制御装置８が中継装置８８にＣＤ−ＲＯＭの有無を問い合わせたときに、取り出されたＣＤ−ＲＯＭ７５に関するデータが制御装置８に出力されない。これにより、制御装置８は、認識できなくなったデータに対応するＣＤ−ＲＯＭ７５が貸し出されたことを認識する。尚、ＣＤ−ＲＯＭ７５の出庫は、第２端子７９、第１端子７８の順に第１，第２電極８１，８２が接触しなくなることによっても検出できる。
【００７８】
このとき、リミットスイッチ８５がオン状態からオフ状態に切り替えられ、ＬＥＤ８７が消灯する。
そして、ＣＤ−ＲＯＭ７５が取り出されたときに、第１電極８１と第２電極８２、及び、第１付勢部材８３と第２付勢部材８４がそれぞれ復元し、ＣＤ−ＲＯＭ７５の収納経路上に突き出る。
【００７９】
ＣＤ−ＲＯＭ７５を保管庫５１に返却するためのＣＤ−ＲＯＭ７５を第２保管庫用ユニット５２Ｂに挿入すると、ＣＤ−ＲＯＭ７５が第１電極８１と第２電極８２の頂部を押圧して第１電極８１と第２電極８２を弾性変形させる。第１電極８１と第２電極８２は、自身の弾性力によって第１端子７８と第２端子７９に擦れ合い、第１端子７８と第２端子７９に押しつけられて接触する。この接触時に、第１電極８１と第２電極８２は接触式ＩＣチップ７７のデータを読み取る。読み取られたデータは中継装置８８のメモリに記憶される。制御装置８８は、中継装置８８から挿入されたＣＤ−ＲＯＭ７５に関するデータを入力し、当該ＣＤ−ＲＯＭ７５が返却されたことを認識する。尚、ＣＤ−ＲＯＭ７５の入庫は、第１端子、第２端子７９の順に第１，第２端子８１，８２が接触することによっても検出できる。
【００８０】
そしてこのとき、リミットスイッチ８５がオフ状態からオン状態に切り替えられて、ＬＥＤ８７が点灯し、ＣＤ−ＲＯＭ７５が第２保管庫用ユニット５２Ｂの適切な位置に返却されたことを利用者に報知する。
【００８１】
＜鍵の管理＞
【００８２】
ＩＣカード（図示せず）を操作パネル４にかざして電子錠５を開錠するときに、制御装置８はＩＣカードに記憶される情報に基づいて利用者に使用権限が与えられている鍵９３を特定し、特定した鍵９３に対応するソレノイド１０５を駆動して係止レバー１０６とホルダ９４の係合凹部９４ｃとの係合状態を解除する。利用者が、係合状態を解除されたホルダ９４のうち、使用したい鍵９３のホルダ９４を引っ張ると、ホルダ９４が収納凹部９２から抜き出される。これにより、第３保管庫用ユニット５２Ｃの第１電極１０１と第２電極１０２がホルダ９４の第１接点９６と第２接点９７に接触しなくなり、接触式ＩＣチップ９５のデータを読み取れなくなる。この時点で中継装置１０７は読み取れなくなったデータをメモリから削除する。そのため、制御装置８が中継装置１０７に鍵９３の有無を
問い合わせると、中継装置１０７は取り出された鍵９３に関するデータを制御装置８に出力しない。制御装置８は、検出できなくなったデータを特定し、特定したデータに対応する鍵９３が貸し出されたことを認識する。
【００８３】
ホルダ９４の取り出しに伴ってリミットスイッチ１０３がホルダ９４に押圧されなくなり、ＬＥＤ１０４が消灯する。そして、ソレノイド１０５が係止レバー１０６を元の位置に復帰させ、係止レバー１０６の先端部をホルダ９４の収納経路上に突き出させる。また第１電極１０１と第２電極１０２がホルダ９４に押圧されなくなって復元し、頂部を収納凹部９２内に突き出す。
【００８４】
尚、扉３を開いたときに利用者が使用権限のない鍵９３を取り出そうとしてホルダ９４を引っ張っても、ホルダ９４の係合凹部９４ｃに係止レバー１０６が係合しているため、ホルダ９４を収納凹部９２から抜き出すことができず、鍵９３を保管庫５１から持ち出せない。
【００８５】
一方、鍵９３を保管庫５１に返却するために、ＩＣカード（図示せず）を操作パネル４にかざすと、利用者に使用権限が付与された鍵９３に対応する係止レバー１０６が揺動し、係止レバー１０６の先端部をホルダ９４の収納経路上から退避させる。利用者がホルダ９４を第３保管庫用ユニット５２Ｃの収納凹部９２に挿入すると、保管庫用ユニット５２Ｃの第１電極１０１と第２電極１０２がホルダ９４に押圧されて弾性変形し、第１接点９６と第２接点９７に各々接触する。このとき、第１電極１０１と第２電極１０２は自身の弾性力によって、頂部を第１接点９６と第２接点９７に擦り合わせて接触させる。この接触により、第１電極１０１と第２電極１０２は接触式ＩＣチップ９５のデータを読み取る。読み取ったデータは、中継装置１０７に記憶され、制御装置８からの問い合わせに応じて制御装置８に出力される。制御装置８は受信したデータを解析してデータの増加を検出し、増加したデータに対応する鍵９３が保管庫５１に返却されたことを認識する。
【００８６】
尚、ホルダ９４がリミットスイッチ１０３をオフ状態からオン状態に切り替えると、ＬＥＤ１０４が点灯し、ホルダ９４が適切な位置まで挿入されたことを利用者に報知する。その後、ソレノイド１０５が駆動して係止レバー１０６を揺動させ、係止レバー１０６をホルダ９４の係合凹部９４ｃに係合させ、鍵９３の持ち出しを制限する。
【００８７】
＜ノートＰＣの管理＞
ノートＰＣ１１３は、ホルダ９４の係合凹部９４ｃに制御装置１１５の係止レバー１０６が係合した状態では、セキュリティワイヤ１１４とホルダ９４を介して第４保管庫用ユニット５２Ｄに連結されているため、第４保管庫用ユニット５２Ｄから持ち出すことができない。かかるノートＰＣ１１３の貸出動作と返却動作は鍵９３と同様であるので説明を省略する。
【００８８】
＜作用効果＞
上記構成を有する本実施形態の保管庫用ユニット５２Ａ，５２Ｂ，５２Ｃ，５２Ｄは、第１読取部６４と第２読取部６５、第１電極８１と第２電極８２、第１電極１０１と第２電極１０２、制御装置１１５の第１電極１０１と第２電極１０２が書類ファイル１５、ＣＤ−ＲＯＭ７５、鍵９３、ノートＰＣ１１３に取り付けられた接触式ＩＣチップ６６、７７、９５のデータを読み取り、その読み取り結果を中継手段７０、８８、１０７、１１６から保管庫５１の制御装置８に送信する。そのため、保管庫用ユニット５２Ａ，５２Ｂ，５２Ｃ，５２Ｄに収納される書類ファイル１５、ＣＤ−ＲＯＭ７５、鍵９３、ノートＰＣ１１３を利用者が制御装置８に入力しなくても、保管庫５１の制御装置８に自動登録することが可能である。よって、本実施形態の保管庫用ユニット５２Ａ，５２Ｂ，５２Ｃ，５２Ｄによれば、被保管物管理を容易にすることができる。
【００８９】
特に、本実施形態の保管庫用ユニット５２Ａ，５２Ｂ，５２Ｃ，５２Ｄは、接触式ＩＣチップ６６，７７，９５のデータを中継装置７０，８８，１０７，１１６のメモリに記憶し、中継装置７０，８８，１０７，１１６のメモリに記憶しているデータを保管庫５１の制御装置８からの問い合わせに応じて制御装置８に送信する。そのため、保管庫用ユニット５２Ａ，５２Ｂ，５２Ｃ，５２Ｄに収納する書類ファイル１５、ＣＤ−ＲＯＭ７５、鍵９３、ノートＰＣ１１３の数が多い場合でも、中継装置７０，８８，１０７，１１６のメモリに一時的に記憶させることができ、被保管物管理を円滑に行うことができる。
【００９０】
また、本実施形態の保管庫用ユニット５２は、書類ファイル１５を収納する第１保管庫用ユニット５２Ａと、ＣＤ−ＲＯＭ７５又はＭＯを収納する第２保管庫用ユニット５２Ｂと、鍵９３、ホルダー９４又はＵＳＢ９９を収納する第３保管庫用ユニット５２Ｃと、ノートＰＣ１１３を収納する第４保管庫用ユニット５２Ｄとを棚７の間に着脱自在に装着している。そのため、例えば、利用者が書類ファイル１５の使用頻度が低いのに対して、鍵９３の管理数が多い場合には、第１保管庫用ユニット５２Ａを取り外して第３保管庫用ユニット５２Ｃに交換すれば、書類ファイル１５の保管をやめて、鍵９３の収納数を増やすことができる。よって、本実施形態の保管庫５１によれば、第１〜第４保管庫用ユニット５２Ａ，５２Ｂ，５２Ｃ，５２Ｄを交換して保管庫５１のレイアウトを変えるだけで、保管庫５１に収納する被保管物の種類を簡単に変更できる。
【００９１】
（第３実施形態）
続いて、本発明の第３実施形態について図面を参照して説明する。図１５は、保管庫用ユニット１２２を取り付けられた保管庫１２１を示す図である。
本実施形態の保管庫用ユニット１２２は、保管庫１２１の正面側からボルト１２３で固定されている点が第２実施形態と相違する。よって、ここでは、第２実施形態と相違する点を中心に説明し、共通する点については図面と説明で同一符号を用い、説明を適宜省略する。
【００９２】
保管庫用ユニット１２２Ａ，１２２Ｂ，１２２Ｃ，１２２Ｄは、基本的に、第２実施形態の保管庫用ユニット５２Ａ，５２Ｂ，５２Ｃ，５２Ｄと同一構造を有するが、正面側にボルト２３を固定するためのフランジ部１２４Ａ，１２４Ｂ，１２４Ｃ，１２４Ｄを有する点が相違する。尚、以下の説明で保管庫用ユニット１２２Ａ，１２２Ｂ，１２２Ｃ，１２２Ｄとフランジ部１２４Ａ，１２４Ｂ，１２４Ｃ，１２４Ｄを区別する必要がない場合には、添字を省略し、保管庫用ユニット１２２とフランジ１２４ということにする。
【００９３】
図１６は、図１５に示す保管庫用ユニット１２２の取付構造を示す図である。
保管庫１２１は、棚７に変えて、保持部材１２５が固定される。保持部材１２５は、剛性の高い金属板であり、端部を折り曲げることによって、保管庫１２１に固定される第１固定部１２６と、保管庫用ユニット１２２を固定される第２固定部１２７とが設けられている。
【００９４】
＜保管庫用ユニットの取付＞
保持部材１２５の第１固定部１２６を保管庫１２１を構成する本体２の側面に位置合わせし、ボルトで固定する。保持部材１２５を４箇所に取り付けたら、取り付けた保持部材１２５の間に保管庫用ユニット１２２を挿入し、フランジ部１２４を保持部材１２５の第２固定部１２７に位置合わせし、ボルト１２３で固定する。尚、本実施形態では、保持部材１２５とボルト１２３が「固定手段」を構成するものとする。
【００９５】
＜作用効果＞
よって、本実施形態の保管庫用ユニット１２２によれば、保持部材１２５を保管庫１２
１にボルト止めした後、保管庫用ユニット１２２のフランジ部１２４を保持部材１２５にボルト１２３で固定することにより、保管庫１２１に取り付けられるので、ボルト１２３を外さなければ保管庫用ユニット１２２を持ち出すことができず、セキュリティ性が高い。
【００９６】
ここで、保管庫用ユニット１２２は正面側からボルト１２３を締結できるようにフランジ部１２４を設けている。そのため、保管庫用ユニット１２２の取付性がよい。
また、保持部材１２５を介して保管庫用ユニット１２２を保管庫１２１に取り付けるので、隣り合う保管庫用ユニット１２２の側面を接触させて保管庫１２１のレイアウトを決めることができ、保管庫１２１内に無駄なスペースができない。しかも、棚７が不要になるので、コストダウンと軽量化を図ることができる。
【００９７】
尚、本発明は、上記実施の形態に限定されることなく、色々な応用が可能である。
上記実施形態では、１つの保管庫に複数の保管庫用ユニットを収納したが、例えば図１７に示すように、１個の保管庫用ユニット１２２Ｂを１個の保管庫１３１に挿入し、ボルト１２３で固定するようにしてもよい。この場合、保管庫用ユニット１２２Ｂを他の保管庫用ユニット１２２Ａ，１２２Ｃ，１２２Ｄに交換するだけで、保管庫１３１の被保管物をセキュリティを確保しながら変更することができる。
上記実施形態では、ボルトを用いて保管庫用ユニットを保管庫に固定したが、凹凸部の係合などによって保管庫用ユニットを保管庫に位置決め固定するようにしてもよい。
上記第１、第２実施形態では、保管庫用ユニット１０，５２を固定したが、被保管物の入出庫に支障がなければ必ずしも保管庫用ユニット１０，５２を固定しなくてもよい。
【００９８】
上記第１実施形態の保管庫用ユニット１０に中継装置を設けてもよい。この場合、予め保管庫用ユニット１０の書類ファイル１５を収納し、書類ファイル１５のデータを中継装置に記憶させておき、保管庫用ユニット１０を保管庫１の制御装置８に接続したときに、中継装置のデータを制御装置８に提供するようにしてもよい。これによれば、書類ファイル１５を制御装置８に登録する手間と時間を少なくすることができる。
上記第２実施形態では、ホルダ９４を介して鍵９３を第３保管庫用ユニット５２Ｃに収納したが、鍵９３に接触式ＩＣチップ９５を取り付け、接触式ＩＣチップ９５に設けた２つの端子を保管庫用ユニット５２の第１電極１０１と第２電極１０２に接触させて接触式ＩＣチップ９５に記憶された鍵９３のデータを読み取るようにしてもよい。
【００９９】
上記実施形態では、保管庫用ユニット５２Ｃ，５２Ｄに被保管物の入出庫を制限するソレノイド１０５と係止レバー１０６を設けたが、他の保管庫用ユニットにも被保管物の入出庫を制限する入出庫制限機構を設け、使用権限のない者が被保管物を保管庫から持ち出すことを防止してセキュリティ性を高めてもよい。入出庫制限機構としては、例えば、図１０に示す箱体７１の開口部にプランジャを突出又は退避するようにソレノイドを取り付け、使用権限のあるＣＤ−ＲＯＭについてソレノイドのプランジャを退避させてＣＤ−ＲＯＭを取り出せるようにする。
【図面の簡単な説明】
【０１００】
【図１】本発明の第１実施形態において、保管庫用ユニットを取り付けられた保管庫を示す外観斜視図である。
【図２】同じく、保管庫用ユニットの取付構造を示す図である。
【図３】同じく、保管庫用ユニットの外観斜視図である。
【図４】同じく、図３のＡ部拡大断面図である。
【図５】同じく、保管庫用ユニットの検出構造を示す図である。
【図６】同じく、ファイルを検出するために保管庫に設けられる電気回路を示す概念図である。
【図７】本発明の第２実施形態において、保管庫用ユニットを取り付けられた保管庫を示す外観斜視図である。
【図８】同じく、第１保管庫用ユニットを示す図である。
【図９】同じく、第２保管庫用ユニットを示す図である。
【図１０】同じく、図９に示すＣＤ−ＲＯＭ（又はＭＯ）の収納構造を示す図である。
【図１１】同じく、第３保管庫用ユニットを示す図である。
【図１２】同じく、図１１に示す鍵の収納構造を示す図である。
【図１３】同じく、図１２に示す鍵の収納構造を上方から見た図である。
【図１４】同じく、第４保管庫用ユニットを示す図である。
【図１５】本発明の第３実施形態に係る保管庫用ユニットを取り付けられた保管庫を示す図である。
【図１６】同じく、図１５に示す保管庫用ユニットの取付構造を示す図である。
【図１７】本発明の保管庫用ユニットの変形例である。
【符号の説明】
【０１０１】
１，５１，１２１  保管庫
３  扉
４  操作パネル（ＩＤ認証手段）
５  電子錠（保管庫開閉手段）
１０，５２，１２２  保管庫用ユニット
１１  接触電極（ＩＣチップデータ読取り手段）
１５  書類ファイル（被保管物）
１６，６６，７７，９５，１１６  接触式ＩＣチップ
１８  ＩＣ側プラス電極端子（端子、ＩＣチップ擦れ手段）
１９  ＩＣ側マイナス電極端子（端子、ＩＣチップ擦れ手段）
７０，８８，１０７，１１６  中継装置（被保管物記憶手段、送信手段）
７５  ＣＤ−ＲＯＭ（被保管物）
８１  第１電極（端子、ＩＣチップ擦れ手段）
８２  第２電極（端子、ＩＣチップ擦れ手段）
８３  第１付勢部材（付勢手段）
８４  第２付勢部材（付勢手段）
９３  鍵（被保管物）
９４  ホルダ（鍵ホルダ）
９９  ＵＳＢ（被保管物）
１０１  第１電極（端子、ＩＣチップ擦れ手段）
１０２  第２電極（端子、ＩＣチップ擦れ手段）
１１３  ノートＰＣ（被保管物）
１２３  ボルト（固定手段）
１２５  保持部材（固定手段）